(57)【要約】【課題】クロストークを抑制することができる表示装置及び映像視聴システムを提供する。【解決手段】フレーム画像が表示される表示面を含む液晶パネルと、前記フレーム画像を表示するためのフレーム画像信号に基づき、異なる解像度の画像を表す複数の書込画像信号を生成する生成部と、前記複数の書込画像信号を、前記表示面に亘って走査するＮ回（Ｎは２以上の整数）の走査動作を実行し、前記液晶パネルを駆動する液晶駆動部と、を備え、ｎ回（ｎは１以上Ｎ未満の整数）の前記走査動作によって走査された前記書込画像信号は、（ｎ＋１）回目の前記走査動作によって走査された書込画像信号と比べて低い解像度の画像を表す少なくとも１つの前記書込画像信号を含むことを特徴とする表示装置。【選択図】図１
2012137630.tif 000002
【特許請求の範囲】
【請求項１】
フレーム画像が表示される表示面を含む液晶パネルと、
前記フレーム画像を表示するためのフレーム画像信号に基づき、異なる解像度の画像を表す複数の書込画像信号を生成する生成部と、
前記複数の書込画像信号を、前記表示面に亘って走査するＮ回（Ｎは２以上の整数）の走査動作を実行し、前記液晶パネルを駆動する液晶駆動部と、を備え、
ｎ回（ｎは１以上Ｎ未満の整数）の前記走査動作によって走査された前記書込画像信号は、（ｎ＋１）回目の前記走査動作によって走査された書込画像信号と比べて低い解像度の画像を表す少なくとも１つの前記書込画像信号を含むことを特徴とする表示装置。
【請求項２】
前記フレーム画像は、左眼で視聴されるように作成された左眼用フレーム画像と右眼で視聴されるように作成された右眼用フレーム画像とを、含み、
前記液晶パネルは、前記左眼用フレーム画像と前記右眼用フレーム画像とを、時間的に交互に切り換えて、立体的に知覚される画像を表示面に表示することを特徴とする請求項１に記載の表示装置。
【請求項３】
前記液晶駆動部は、前記少なくとも１つの書込画像信号を、前記（ｎ＋１）回目の書込画像信号を書き込む期間よりも短い期間で書き込むことを特徴とする請求項１又は２に記載の表示装置。
【請求項４】
前記Ｎは、２乃至４のうちいずれかの整数であることを特徴とする請求項３に記載の表示装置。
【請求項５】
前記液晶駆動部は、第１方向及び該第１方向とは反対の第２方向に選択的に副走査するように形成され、
前記Ｎ回目の走査動作が行われる期間において、前記第１方向への副走査が行われるならば、前記ｎ回の走査動作が行われる期間は、前記第２方向への副走査が行われる少なくとも１つの逆副走査期間を含むことを特徴とする請求項３又は４に記載の表示装置。
【請求項６】
前記表示面は、副走査方向に整列した複数の画素を含む画素グループを含み、
前記ｎ回目の走査動作によって走査された前記書込画像信号は、前記画素グループ内の前記画素に共通する等価輝度を規定する等価信号を含み、
前記ｎ回目の走査動作を実行する液晶駆動部は、前記等価輝度に向けて、前記画素グループ内の前記画素に対応する液晶それぞれを同時に駆動することを特徴とする請求項１乃至５のいずれか１項に記載の表示装置。
【請求項７】
前記等価輝度は、前記フレーム画像信号が前記画素グループ内の前記画素それぞれに対して規定した目標輝度が平均化された平均輝度又は前記画素グループ内の画素それぞれに対する前記目標輝度から選択された選択輝度に基づき設定されることを特徴とする請求項６に記載の表示装置。
【請求項８】
前記生成部は、前記（ｎ＋１）回目の前記走査動作によって走査された前記書込画像信号と比べて低い解像度の画像を表す前記少なくとも１つの前記書込画像信号に対応する前記画素グループよりも少ない数の画素を含む前記画素グループに基づき、前記（ｎ＋１）回目の走査動作によって走査される前記書込画像信号の生成のために用いられる駆動輝度を設定し、
前記液晶駆動部は、前記駆動輝度に向けて、前記画素に対応する液晶を駆動することを特徴とする請求項７に記載の表示装置。
【請求項９】
前記ｎ回目の走査動作は、前記平均輝度に基づき設定された前記等価信号を前記表示面に亘って走査する走査動作及び前記選択輝度に基づき設定された前記等価信号を前記表示面に亘って走査する走査動作のうち一方であることを特徴とする請求項７又は８に記載の表示装置。
【請求項１０】
前記フレーム画像信号は、先行して表示される先行フレーム画像を表示するための先行画像信号と、前記先行フレーム画像の後に表示される後続フレーム画像を表示するための後続画像信号と、を含み、
前記生成部は、前記先行画像信号に基づき設定された前記平均輝度又は前記選択輝度と、前記後続画像信号に基づき設定された前記平均輝度又は前記選択輝度と、に基づき、前記駆動輝度を設定し、
前記液晶駆動部は、前記駆動輝度に向けて、前記液晶を駆動し、
前記先行画像信号に基づき設定された前記平均輝度又は前記選択輝度が、前記後続画像信号に基づき設定された前記平均輝度又は前記選択輝度よりも大きいならば、前記駆動輝度は、前記後続画像信号に基づき設定された前記平均輝度又は前記選択輝度よりも小さくなるように決定され、
前記先行画像信号に基づき設定された前記平均輝度又は前記選択輝度が、前記後続画像信号に基づき設定された前記平均輝度又は前記選択輝度よりも小さいならば、前記駆動輝度は、前記後続画像信号に基づき設定された前記平均輝度又は前記選択輝度よりも大きくなるように決定されることを特徴とする請求項７乃至９いずれか１項に記載の表示装置。
【請求項１１】
前記生成部は、（ｎ＋１）回目の走査動作が開始されるときに前記画素が達成している輝度に対する期待値に関する期待値データを格納する期待値テーブルを備え、
前記駆動輝度は、前記期待値に基づき設定され、
前記駆動輝度を設定するための前記期待値は、ｎ回目の走査動作時に設定された前記平均輝度又は前記選択輝度に基づき、決定されることを特徴とする請求項１０に記載の表示装置。
【請求項１２】
Ｎ回目の前記走査動作を行う前記液晶駆動部は、前記画素グループの前記画素に対応する液晶を順次駆動することを特徴とする請求項１乃至１１のいずれか１項に記載の表示装置。
【請求項１３】
左眼で視聴されるように作成された左眼用フレーム画像と右眼で視聴されるように作成された右眼用フレーム画像とを表示し、立体的に知覚される画像を提供する表示装置と、
前記左眼用フレーム画像が視聴されるように前記左眼へ到達する光量を調整する左眼フィルタと、前記右眼用フレーム画像が視聴されるように前記右眼へ到達する光量を調整する右眼フィルタ、とを含む眼鏡装置と、を備え、
前記表示装置は、
前記左眼用フレーム画像と前記右眼用フレーム画像とを、時間的に交互に切り換えて、表示面に表示する液晶パネルと、
前記複数の書込画像信号を、前記表示面に亘って走査するＮ回（Ｎは２以上の整数）の走査動作を実行し、前記液晶パネルを駆動する液晶駆動部と、を備え、
ｎ回（ｎは１以上Ｎ未満の整数）の前記走査動作によって走査された前記書込画像信号は、（ｎ＋１）回目の前記走査動作によって走査された書込画像信号と比べて低い解像度の画像を表す少なくとも１つの前記書込画像信号を含むことを特徴とする映像視聴システム。
【発明の詳細な説明】
【技術分野】
【０００１】
本発明は、映像を表示する表示装置及び映像視聴システムに関する。
【背景技術】
【０００２】
立体的に知覚される映像を表示する表示装置は、左眼で視聴されるための左眼用フレーム画像（以下、Ｌフレーム画像と称される）と、右眼で視聴されるための右眼用フレーム画像（以下、Ｒフレーム画像と称される）とを所定周期（例えば、フィールド周期）で交互に表示する。表示されるＬフレーム画像及びＲフレーム画像は、視差の分だけ異なる内容を含む。視聴者は、Ｌフレーム画像及びＲフレーム画像の表示周期に同期して駆動される液晶シャッタを備える眼鏡装置を通じて、Ｌフレーム画像及びＲフレーム画像を視聴する（例えば、特許文献１及び特許文献２参照）。この結果、視聴者は、Ｌフレーム画像及びＲフレーム画像に表現されたオブジェクトを立体的に知覚する。
【０００３】
図５１は、従来の映像視聴システムのブロック図である。尚、図５１に示される映像視聴システムには、６０Ｈｚの映像信号（左眼用映像信号及び右眼用映像信号）が入力される。
【０００４】
映像視聴システム９００は、６０Ｈｚの映像信号（左眼用映像信号及び右眼用映像信号）が入力される映像信号処理部９０１を備える。映像信号処理部９０１は、入力された映像信号を１２０Ｈｚの左眼用映像信号と右眼用映像信号とに変換する。変換された左眼用映像信号及び右眼用映像信号は、液晶駆動部９０２及びバックライト制御部９０３へ出力される。液晶駆動部９０２は、１２０Ｈｚの左眼用映像信号及び右眼用映像信号を液晶パネル９０４で表示可能な形式に変換する。液晶駆動部９０２によって変換された左眼用映像信号及び右眼用映像信号は液晶パネル９０４に出力される。バックライト制御部９０３は、バックライト９０５に発光制御信号を出力する。バックライト９０５は、発光制御信号により液晶パネル９０４に対し、液晶パネル９０４の背面から光を照射する。この結果、液晶パネル９０４に、１２０ＨｚでＬフレーム画像及びＲフレーム画像が交互に表示される。
【０００５】
眼鏡装置９５０は、左眼シャッタ９５１と右眼シャッタ９５２とを備える。映像信号処理部９０１によって変換された１２０Ｈｚの左眼用映像信号及び右眼用映像信号を基準にして、左眼シャッタ９５１用のシャッタ制御回路９０６及び右眼シャッタ９５２用のシャッタ制御回路９０７は、左眼シャッタ９５１及び右眼シャッタ９５２を同期制御する。
【０００６】
図５２は、従来の映像視聴システム９００の制御タイミングチャートである。図５２のセクション（Ａ）は、液晶パネル９０４のＬフレーム画像及びＲフレーム画像の走査タイミングを示す。図５２のセクション（Ｂ）は、バックライト９０５の点灯タイミングを示す。図５２のセクション（Ｃ）は、眼鏡装置９５０のシャッタ９５１，９５２の開閉タイミングを示す。図５１及び図５２を用いて、従来の映像視聴システム９００が説明される。
【０００７】
液晶パネル９０４に左眼用映像信号及び右眼用映像信号が順次書き込まれる。この間、バックライト９０５は常時点灯している。シャッタ制御回路９０６，９０７は、シャッタ９５１，９５２を制御する。液晶パネル９０４への左右交互の書き込み走査の後、シャッタの開期間がそれぞれの映像期間の半分となるように、シャッタ９５１，９５２は、シャッタ制御回路９０６，９０７の制御下で開閉する。シャッタ９５１，９５２を通じて視聴されるＬフレーム画像及びＲフレーム画像は、視聴者の左右の眼でそれぞれ視聴される。この結果、視聴者は、脳内で、視覚的な立体像を生成する。
【０００８】
図５２に示される制御タイミングで動作する映像視聴システムにおいて、視聴者はシャッタ９５１，９５２が開かれている期間（立体像の生成に必要な映像を視聴するのに十分な期間）のみＬフレーム画像又はＲフレーム画像を視聴する。一方、バックライト９０５は、シャッタ９５１，９５２が開かれている期間以外の期間においても常時点灯している。したがって、図５２に示される制御タイミングで動作する映像視聴システムは、省電力の観点から好ましくない。
【０００９】
図５３は、従来の映像視聴システム９００の他の制御タイミングチャートである。図５３のセクション（Ａ）は、液晶パネル９０４のＬフレーム画像及びＲフレーム画像の走査タイミングを示す。図５３のセクション（Ｂ）は、バックライト９０５の点灯タイミングを示す。図５３のセクション（Ｃ）は、眼鏡装置９５０のシャッタ９５１，９５２の開閉タイミングを示す。図５１乃至図５３を用いて、従来の映像視聴システム９００が更に説明される。
【００１０】
特許文献２は、Ｌフレーム画像又はＲフレーム画像が視聴される期間のみバックライト９０５が点灯される制御を開示する。図５３に示される制御では、図５２に示される制御と異なり、Ｌフレーム画像又はＲフレーム画像が視聴される期間のみバックライト９０５が発光している。したがって、図５３に示される制御は、図５２に示される制御よりも省電力の点で優れている。
【先行技術文献】
【特許文献】
【００１１】
【特許文献１】特開昭６２−１３３８９１号公報
【特許文献２】特開２００９−２５４３６号公報
【発明の概要】
【発明が解決しようとする課題】
【００１２】
左眼シャッタ９５１は、液晶パネル９０４が左眼で視聴されるように作成されたＬフレーム画像を表示した後且つＲフレーム画像を表示するための右眼用映像信号が走査される前に開かれる。同様に、右眼シャッタ９５２は、液晶パネル９０４が右眼で視聴されるように作成されたＲフレーム画像を表示した後且つＬフレーム画像を表示するための左眼用映像信号が走査される前に開かれる。
【００１３】
図５２及び図５３に示される如く、左眼用映像信号及び／又は右眼用映像信号は液晶パネル９０４の上部から走査される。したがって、液晶パネル９０４の下部における左眼用映像信号及び／又は右眼用映像信号の走査は、液晶パネル９０４の上部に対して遅れる。
【００１４】
左眼用映像信号及び／又は右眼用映像信号に基づく液晶の応答は、表示される映像の種類に応じた時間を要求する。例えば、先行して表示されるフレーム画像を表現する画素の輝度と、後に表示されるフレーム画像を表現する画素の輝度との間で大きさに差異が生ずる場合、比較的長い液晶の応答時間が要求される。
【００１５】
Ｌフレーム画像又はＲフレーム画像の表示が完了するのを待って、左眼シャッタ９５１又は右眼シャッタ９５２が開かれた場合、液晶の長い応答時間に起因して、左眼シャッタ９５１又は右眼シャッタ９５２が開かれている期間が短くなる。この結果、視聴者は液晶パネル９０４に表示された立体映像を暗く感じる。
【００１６】
Ｌフレーム画像の表示が完了するのを待たずに、左眼シャッタ９５１が開かれた場合、視聴者は、先行して表示されたＲフレーム画像の影響が混在したＬフレーム画像を視聴することとなる。同様に、Ｒフレーム画像の表示が完了するのを待たずに、右眼シャッタ９５２が開かれた場合、視聴者は、先行して表示されたＬフレーム画像の影響が混在したＲフレーム画像を視聴することとなる。このようなＬフレーム画像とＲフレーム画像との混在は、クロストークと称される。液晶パネル９０４の下部における左眼用映像信号及び／又は右眼用映像信号の走査の遅れ並びに液晶の応答時間に起因して、先行するフレーム画像（Ｌフレーム画像又はＲフレーム画像）の混在量は、液晶パネル９０４の下部において特に大きくなる。したがって、視聴者は液晶パネル９０４の下部において表示されたフレーム画像を立体的に知覚しにくくなる。
【００１７】
上述のクロストークの課題は、視差の分だけ異なる内容を表すＬフレーム画像及びＲフレーム画像が時間的に交互に表示される立体映像の表示において、特に顕著となるが、２次元映像においても共通の課題である。先行して表示されるフレーム画像と後続のフレーム画像との間の輝度差が大きな領域が存在するならば、視聴者は、クロストークを知覚しやすい。特に、輝度差が大きな領域が、比較的遅く走査されるならば、視聴者は、クロストークを一層知覚しやすくなる。
【００１８】
本発明は、クロストークを抑制することができる表示装置及び映像視聴システムを提供することを目的とする。
【課題を解決するための手段】
【００１９】
本発明の一の局面に係る表示装置は、フレーム画像が表示される表示面を含む液晶パネルと、前記フレーム画像を表示するためのフレーム画像信号に基づき、異なる解像度の画像を表す複数の書込画像信号を生成する生成部と、前記複数の書込画像信号を、前記表示面に亘って走査するＮ回（Ｎは２以上の整数）の走査動作を実行し、前記液晶パネルを駆動する液晶駆動部と、を備え、ｎ回（ｎは１以上Ｎ未満の整数）の前記走査動作によって走査された前記書込画像信号は、（ｎ＋１）回目の前記走査動作によって走査された書込画像信号と比べて低い解像度の画像を表す少なくとも１つの前記書込画像信号を含むことを特徴とする。
【００２０】
上記構成によれば、液晶パネルは、フレーム画像を表示面に表示する。生成部は、フレーム画像を表示するためのフレーム画像信号に基づき、異なる解像度の画像を表す複数の書込画像信号を生成する。液晶駆動部は、複数の書込画像信号を、表示面に亘って、Ｎ回の走査動作を実行し、液晶パネルを駆動する。ｎ回の走査動作によって走査された書込画像信号は、（ｎ＋１）回目の走査動作によって走査された書込画像信号と比べて低い解像度の画像を表す少なくとも１つの書込画像信号を含む。
【００２１】
一般的に、副走査方向の輝度変動の周波数が低い画像領域におけるクロストークは、視聴者に知覚されやすく、副走査方向の輝度変動の周波数が高い画像領域におけるクロストークは、視聴者に知覚されにくい。上述の如く、ｎ回の走査動作によって走査された書込画像信号は、（ｎ＋１）回目の走査動作によって走査された書込画像信号と比べて低い解像度の画像を表す少なくとも１つの書込画像信号を含むので、副走査方向の輝度変動の周波数が低い画像領域は、比較的早期に描画される。したがって、比較的遅く走査動作が実行される表示面の領域においても、視聴者はクロストークを知覚しにくい。
【００２２】
上記構成において、前記フレーム画像は、左眼で視聴されるように作成された左眼用フレーム画像と右眼で視聴されるように作成された右眼用フレーム画像とを、含み、前記液晶パネルは、前記左眼用フレーム画像と前記右眼用フレーム画像とを、時間的に交互に切り換えて、立体的に知覚される画像を表示面に表示することが好ましい。
【００２３】
上記構成によれば、液晶パネルは、左眼で視聴されるように作成された左眼用フレーム画像と右眼で視聴されるように作成された右眼用フレーム画像とを、時間的に交互に切り換えて、立体的に知覚される画像を表示面に表示する。視聴者は、特に比較的遅く第２走査動作がなされる表示面の領域におけるクロストークが低減された立体画像を視聴することができる。
【００２４】
上記構成において、前記液晶駆動部は、前記少なくとも１つの書込画像信号を、前記（ｎ＋１）回目の書込画像信号を書き込む期間よりも短い期間で書き込むことが好ましい。
【００２５】
上記構成によれば、液晶駆動部は、少なくとも１つの書込画像信号を、（ｎ＋１）回目の書込画像信号を書き込む期間よりも短い期間で書き込むので、複数回の走査動作を実行するための期間が確保されやすくなる。
【００２６】
上記構成において、前記Ｎは、２乃至４のうちいずれかの整数であることが好ましい。
【００２７】
上記構成によれば、フレーム画像信号当たり、２乃至４回の走査動作が実行されるので、副走査方向の輝度変動の周波数が低い画像領域は、比較的早期に描画される。したがって、比較的遅く走査動作が実行される表示面の領域においても、視聴者はクロストークをほとんど知覚しない。
【００２８】
上記構成において、前記液晶駆動部は、第１方向及び該第１方向とは反対の第２方向に選択的に副走査するように形成され、前記Ｎ回目の走査動作が行われる期間において、前記第１方向への副走査が行われるならば、前記ｎ回の走査動作が行われる期間は、前記第２方向への副走査が行われる少なくとも１つの逆副走査期間を含むことが好ましい。
【００２９】
上記構成によれば、液晶駆動部は、第１方向への副走査と、第１方向とは反対方向の第２副走査と、を選択的に実行する。Ｎ回目の走査動作が行われる期間において、第１方向への副走査が行われるならば、ｎ回の走査動作が行われる期間は、第２方向への副走査が行われる少なくとも１つの逆副走査期間を含む。Ｎ回目の走査動作が行われる期間において、比較的遅く走査動作が実行される表示面上の領域は、逆副走査期間において、比較的早く予備走査動作を受ける。走査動作のタイミングが遅い領域が変動するので、視聴者は、クロストークの観点から、比較的均質な画像を視聴することができる。
【００３０】
上記構成において、前記表示面は、副走査方向に整列した複数の画素を含む画素グループを含み、前記ｎ回目の走査動作によって走査された前記書込画像信号は、前記画素グループ内の前記画素に共通する等価輝度を規定する等価信号を含み、前記ｎ回目の走査動作を実行する液晶駆動部は、前記等価輝度に向けて、前記画素グループ内の前記画素に対応する液晶それぞれを同時に駆動することが好ましい。
【００３１】
上記構成によれば、表示面は、副走査方向に整列した複数の画素を含む画素グループを含む。ｎ回目の走査動作によって走査された書込画像信号は、画素グループ内の画素に共通する等価輝度を規定する等価信号を含む。ｎ回目の走査動作を実行する液晶駆動部は、等価輝度に向けて、画素グループ内の前記画素に対応する液晶それぞれを同時に駆動するので、ｎ回目の走査動作を実行する期間は比較的短くなる。
【００３２】
上記構成において、前記等価輝度は、前記フレーム画像信号が前記画素グループ内の前記画素それぞれに対して規定した目標輝度が平均化された平均輝度又は前記画素グループ内の画素それぞれに対する前記目標輝度から選択された選択輝度に基づき設定されることが好ましい。
【００３３】
上記構成によれば、等価輝度は、フレーム画像信号が画素グループ内の画素それぞれに対して規定した目標輝度が平均化された平均輝度又は画素グループ内の画素それぞれに対する目標輝度から選択された選択輝度のうち少なくとも１つに基づき設定されるので、副走査方向の輝度変動の周波数が低い画像領域の描画は、適切に行われる。
【００３４】
上記構成において、前記生成部は、前記（ｎ＋１）回目の前記走査動作によって走査された前記書込画像信号と比べて低い解像度の画像を表す前記少なくとも１つの前記書込画像信号に対応する前記画素グループよりも少ない数の画素を含む前記画素グループに基づき、前記（ｎ＋１）回目の走査動作によって走査される前記書込画像信号の生成のために用いられる駆動輝度を設定し、前記液晶駆動部は、前記駆動輝度に向けて、前記画素に対応する液晶を駆動することが好ましい。
【００３５】
上記構成によれば、生成部は、（ｎ＋１）回目の走査動作によって走査された書込画像信号と比べて低い解像度の画像を表す少なくとも１つの書込画像信号に対応する前記画素グループよりも少ない数の画素を含む前記画素グループに基づき、（ｎ＋１）回目の走査動作によって走査される書込画像信号の生成のために用いられる駆動輝度を設定する。液晶駆動部は、低減された数の画素に基づき設定された駆動輝度に向けて、画素に対応する液晶を駆動するので、（ｎ＋１）回目の走査動作によって描画される画像の解像度は比較的高くなる。
【００３６】
上記構成において、前記ｎ回目の走査動作は、前記平均輝度に基づき設定された前記等価信号を前記表示面に亘って走査する走査動作及び前記選択輝度に基づき設定された前記等価信号を前記表示面に亘って走査する走査動作のうち一方であることが好ましい。
【００３７】
上記構成によれば、ｎ回目の走査動作は、平均輝度に基づき設定された等価信号を表示面に亘って走査する走査動作及び選択輝度に基づき設定された等価信号を表示面に亘って走査する走査動作のうち一方であるので、走査動作の回数に応じて、適切な走査動作が実行される。
【００３８】
上記構成において、前記フレーム画像信号は、先行して表示される先行フレーム画像を表示するための先行画像信号と、前記先行フレーム画像の後に表示される後続フレーム画像を表示するための後続画像信号と、を含み、前記生成部は、前記先行画像信号に基づき設定された前記平均輝度又は前記選択輝度と、前記後続画像信号に基づき設定された前記平均輝度又は前記選択輝度と、に基づき、前記駆動輝度を設定し、前記液晶駆動部は、前記駆動輝度に向けて、前記液晶を駆動し、前記先行画像信号に基づき設定された前記平均輝度又は前記選択輝度が、前記後続画像信号に基づき設定された前記平均輝度又は前記選択輝度よりも大きいならば、前記駆動輝度は、前記後続画像信号に基づき設定された前記平均輝度又は前記選択輝度よりも小さくなるように決定され、前記先行画像信号に基づき設定された前記平均輝度又は前記選択輝度が、前記後続画像信号に基づき設定された前記平均輝度又は前記選択輝度よりも小さいならば、前記駆動輝度は、前記後続画像信号に基づき設定された前記平均輝度又は前記選択輝度よりも大きくなるように決定されることが好ましい。
【００３９】
上記構成によれば、フレーム画像信号は、先行して表示される先行フレーム画像を表示するための先行画像信号と、先行フレーム画像の後に表示される後続フレーム画像を表示するための後続画像信号と、を含む。生成部は、先行画像信号に基づき設定された平均輝度又は選択輝度と、後続画像信号に基づき設定された平均輝度又は選択輝度と、に基づき、駆動輝度を設定する。液晶駆動部は、駆動輝度に向けて、液晶を駆動する。先行画像信号に基づき設定された平均輝度又は選択輝度が、後続画像信号に基づき設定された平均輝度又は選択輝度よりも大きいならば、駆動輝度は、後続画像信号に基づき設定された平均輝度又は選択輝度よりも小さくなるように決定される。また、後続画像信号に基づき設定された平均輝度又は選択輝度よりも小さいならば、駆動輝度は、後続画像信号に基づき設定された平均輝度又は前記選択輝度よりも大きくなるように決定される。したがって、画素は、比較的素早く目標輝度に近づくことができる。
【００４０】
上記構成において、前記生成部は、（ｎ＋１）回目の走査動作が開始されるときに前記画素が達成している輝度に対する期待値に関する期待値データを格納する期待値テーブルを備え、前記駆動輝度は、前記期待値に基づき設定され、前記駆動輝度を設定するための前記期待値は、ｎ回目の走査動作時に設定された前記平均輝度又は前記選択輝度に基づき、決定されることが好ましい。
【００４１】
上記構成によれば、生成部は、（ｎ＋１）回目の走査動作が開始されるときに画素が達成している輝度に対する期待値に関する期待値データを格納する期待値テーブルを備える。駆動輝度を設定するための期待値は、ｎ回目の走査動作時に設定された平均輝度又は選択輝度に基づき、決定される。（ｎ＋１）回目の走査動作が開始されるときに画素が達成している輝度が考慮された駆動輝度の設定がなされた（ｎ＋１）回目の走査動作によって、適切な液晶の駆動がなされる。
【００４２】
上記構成において、Ｎ回目の前記走査動作を行う前記液晶駆動部は、前記画素グループの前記画素に対応する液晶を順次駆動することが好ましい。
【００４３】
上記構成によれば、画素グループの画素に対応する液晶を順次駆動するＮ回目の走査動作によって、比較的高い解像度の画像が表示面に描画される。
【００４４】
本発明の一の局面に係る映像視聴システムは、左眼で視聴されるように作成された左眼用フレーム画像と右眼で視聴されるように作成された右眼用フレーム画像とを表示し、立体的に知覚される画像を提供する表示装置と、前記左眼用フレーム画像が視聴されるように前記左眼へ到達する光量を調整する左眼フィルタと、前記右眼用フレーム画像が視聴されるように前記右眼へ到達する光量を調整する右眼フィルタ、とを含む眼鏡装置と、を備え、前記表示装置は、前記左眼用フレーム画像と前記右眼用フレーム画像とを、時間的に交互に切り換えて、表示面に表示する液晶パネルと、前記複数の書込画像信号を、前記表示面に亘って走査するＮ回（Ｎは２以上の整数）の走査動作を実行し、前記液晶パネルを駆動する液晶駆動部と、を備え、ｎ回（ｎは１以上Ｎ未満の整数）の前記走査動作によって走査された前記書込画像信号は、（ｎ＋１）回目の前記走査動作によって走査された書込画像信号と比べて低い解像度の画像を表す少なくとも１つの前記書込画像信号を含むことを特徴とする。
【００４５】
上記構成によれば、表示装置は、左眼で視聴されるように作成された左眼用フレーム画像と右眼で視聴されるように作成された右眼用フレーム画像とを表示する。眼鏡装置の左眼フィルタは、左眼用フレーム画像が視聴されるように左眼へ到達する光量を調整する。眼鏡装置の右眼フィルタは、右眼用フレーム画像が視聴されるように右眼へ到達する光量を調整する。液晶パネルは、左眼で視聴されるように作成された左眼用フレーム画像と右眼で視聴されるように作成された右眼用フレーム画像とを、時間的に交互に切り換えて表示面に表示する。したがって、視聴者は、表示装置が提供する画像を立体的に知覚することができる。
【００４６】
生成部は、左眼用フレーム画像又は右眼用フレーム画像を表示するためのフレーム画像信号に基づき、異なる解像度の画像を表す複数の書込画像信号を生成する。液晶駆動部は、複数の書込画像信号を、表示面に亘って、Ｎ回の走査動作を実行し、液晶パネルを駆動する。ｎ回の走査動作によって走査された書込画像信号は、（ｎ＋１）回目の走査動作によって走査された書込画像信号と比べて低い解像度の画像を表す少なくとも１つの書込画像信号を含む。
【００４７】
一般的に、副走査方向の輝度変動の周波数が低い画像領域におけるクロストークは、視聴者に知覚されやすく、副走査方向の輝度変動の周波数が高い画像領域におけるクロストークは、視聴者に知覚されにくい。上述の如く、ｎ回の走査動作によって走査された書込画像信号は、（ｎ＋１）回目の走査動作によって走査された書込画像信号と比べて低い解像度の画像を表す少なくとも１つの書込画像信号を含むので、副走査方向の輝度変動の周波数が低い画像領域は、比較的早期に描画される。したがって、比較的遅く走査動作が実行される表示面の領域においても、視聴者はクロストークをほとんど知覚しない。
【発明の効果】
【００４８】
上述の如く、本発明に係る表示装置及び映像視聴システムは、クロストークを抑制することができる。
【図面の簡単な説明】
【００４９】
【図１】第１実施形態に係る映像視聴システム及び表示装置の構成を概略的に示すブロック図である。
【図２】図１に示される映像視聴システムを概略的に示す模式図である。
【図３】図１に示される表示装置の映像信号処理部の概略的なブロック図である。
【図４】図３に示される映像信号処理部が行う平均化処理の概念図である。
【図５】図３に示される映像信号処理部が行う平均化処理の概念図である。
【図６】図３に示される映像信号処理部が行う選択処理の概念図である。
【図７】図３に示される映像信号処理部が行う選択処理の概念図である。
【図８】図３に示される映像信号処理部が行う画像信号の生成処理の概念図である。
【図９】図１に示される表示装置の液晶駆動部による第１走査動作及び第２走査動作を概略的に説明する概念図である。
【図１０】図３に示される映像信号処理部中の信号の出力図である。
【図１１】図３に示される映像信号処理部が第１走査期間に出力する信号を表す概略的なブロック図である。
【図１２】図３に示される映像信号処理部が第２走査期間に出力する信号を表す概略的なブロック図である。
【図１３】図３に示される映像信号処理部の第１補正部による第１補正信号の生成処理を概略的に示す概念図である。
【図１４】図３に示される映像信号処理部の第２補正部による第２補正信号の生成処理を概略的に示す概念図である。
【図１５】先行するＬフレーム画像信号が規定する目標輝度と後続のＲフレーム画像信号が規定する目標輝度との差異が与える画素の輝度変化に対する影響を概略的に示すグラフである。
【図１６】画素の位置に起因する走査動作の差異を概略的に説明する模式図である。
【図１７】画素の位置が与える画素の輝度変化に対する影響を概略的に示すグラフである。
【図１８】図３に示される映像信号処理部中において第１走査期間に出力される信号が含む輝度のデータを示す。
【図１９】図３に示される映像信号処理部中において第２走査期間に出力される信号が含む輝度のデータを示す。
【図２０】図１８及び図１９に示される信号処理に基づく画素の輝度の変化を表す概略的なタイムチャートである。
【図２１】第２実施形態に係る映像視聴システム及び表示装置の構成を概略的に示すブロック図である。
【図２２】図２１に示される表示装置の映像信号処理部の概略的なブロック図である。
【図２３】図２２に示される映像信号処理部の第１等価部の概略的なブロック図である。
【図２４】図２２に示される映像信号処理部の第２等価部の概略的なブロック図である。
【図２５】図２２に示される映像信号処理部の第１等価部及び第２等価部が行う等価処理の概念図である。
【図２６】図２２に示される映像信号処理部の第２補正部による第２補正信号の生成処理を概略的に示す概念図である。
【図２７】図２２に示される映像信号処理部の第２補正部による第３補正信号の生成処理を概略的に示す概念図である。
【図２８】図２２に示される映像信号処理部の第１等価部による選択処理による輝度データの変化を示す概念図である。
【図２９】図２２に示される映像信号処理部の第２等価部による選択処理による輝度データの変化を示す概念図である。
【図３０】図２２に示される映像信号処理部の第１補正部の輝度変化を示す概念図である。
【図３１】図２２に示される映像信号処理部の第２補正部による期待値の算出工程の概念図である。
【図３２】図２２に示される映像信号処理部の第２補正部による第２補正信号の生成工程の概念図である。
【図３３】第３走査期間の駆動輝度を設定するための手法を説明するためのグラフである。
【図３４】第３走査期間の駆動輝度を設定するための手法を説明するためのグラフである。
【図３５】第３走査期間の駆動輝度を設定するための手法を説明するためのグラフである。
【図３６】第３走査期間の駆動輝度を設定するための手法を説明するためのグラフである。
【図３７】第１走査動作、第２走査動作及び第３走査動作によって得られる空間スペクトルを概略的に示すグラフである。
【図３８】第１走査動作、第２走査動作及び第３走査動作によって描かれるオブジェクトを概略的に示す概念図である。
【図３９】単回の走査動作から得られる輝度変化を概略的に示すタイミングチャートである。
【図４０】多回の走査動作から得られる輝度変化を概略的に示すタイミングチャートである。
【図４１】第３実施形態に係る映像視聴システム及び表示装置の構成を概略的に示すブロック図である。
【図４２】図４１に示される表示装置の液晶駆動部の走査動作を概略的に示す模式図である。
【図４３】視聴者に知覚されるオブジェクトの差異を概略的に示す概念図である。
【図４４】図４１に示される表示装置の液晶駆動部の他の走査動作を概略的に示す模式図である。
【図４５】第４実施形態に係る映像視聴システム及び表示装置の構成を概略的に示すブロック図である。
【図４６】図４５に示される表示装置の映像信号処理部の概略的なブロック図である。
【図４７】図４６に示される映像信号処理部の第１等価部及び第２等価部の概略的なブロック図である。
【図４８】図４６に示される映像信号処理部の第１等価部及び第２等価部の概略的なブロック図である。
【図４９】図４６に示される映像信号処理部の第２補正部による補正信号の生成処理を概略的に示す概念図である。
【図５０】図４６に示される映像信号処理部の第２補正部による補正信号の生成処理を概略的に示す概念図である。
【図５１】従来の映像視聴システムの構成を概略的に示すブロック図である。
【図５２】従来の映像視聴システムの制御を例示する制御タイミングチャートである。
【図５３】従来の映像視聴システムの制御を例示する制御タイミングチャートである。
【発明を実施するための形態】
【００５０】
以下、表示装置及び映像視聴システムの様々な実施形態が図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に本実施形態の原理を容易に理解させることを目的とするものであり、表示装置及び映像視聴システムの原理はこれらに何ら限定されるものではない。
【００５１】
＜第１実施形態＞
（映像視聴システムの構成）
図１は、第１実施形態に係る映像視聴システムの構成を概略的に示すブロック図である。図２は、図１に示される映像視聴システムを概略的に示す模式図である。図１及び図２を参照しつつ、映像視聴システムの概略的な構成が説明される。
【００５２】
映像視聴システム１００は、左眼で視聴されるように作成された左眼用フレーム画像（以下、Ｌフレーム画像と称される）と、右眼で視聴されるように作成された右眼用フレーム画像（以下、Ｒフレーム画像と称される）とを含むフレーム画像を表示する表示装置２００と、表示装置２００が表示するＬフレーム画像及びＲフレーム画像の視聴を補助する眼鏡装置３００とを備える。眼鏡装置３００は、視聴者が左眼でＬフレーム画像を視聴し、右眼でＲフレーム画像を視聴するように、表示装置２００によるＬフレーム画像及びＲフレーム画像の表示に同期した立体視補助動作を行う。この結果、視聴者は、眼鏡装置３００を通じて、表示装置２００が表示するフレーム画像（Ｌフレーム画像及びＲフレーム画像）を立体的に知覚する（視聴者は、Ｌフレーム画像及びＲフレーム画像中で表現されたオブジェクトを、Ｌフレーム画像及びＲフレーム画像が映し出される表示面に対して、飛び出たように或いは引っ込んだように知覚する）。
【００５３】
視力矯正用の眼鏡と同様の形状をなす眼鏡装置３００は、視聴者の左眼前に配設される左眼シャッタ３１１と、視聴者の右眼前に配設される右眼シャッタ３１２とを含む光学シャッタ部３１０を備える。左眼シャッタ３１１は、表示装置２００がＬフレーム画像を表示しているときに開き、表示装置２００がＲフレーム画像を表示しているときに閉じる。右眼シャッタ３１２は、表示装置２００がＬフレーム画像を表示しているときに閉じ、表示装置２００がＲフレーム画像を表示しているときに開く。表示装置２００がＬフレーム画像を表示しているときに、Ｌフレーム画像から視聴者の左眼へ透過する光路が開かれる一方で、Ｌフレーム画像から視聴者の右眼へ透過する光路が閉じられるので、視聴者は左眼のみでＬフレーム画像を視聴する。同様に、表示装置２００がＲフレーム画像を表示しているときに、Ｒフレーム画像から視聴者の右眼へ透過する光路が開かれる一方で、Ｒフレーム画像から視聴者の左眼へ透過する光路が閉じられるので、視聴者は右眼のみでＲフレーム画像を視聴する。本実施形態において、左眼シャッタ３１１は、左眼フィルタとして例示される。また、右眼シャッタ３１２は、右眼フィルタとして例示される。左眼フィルタ及び右眼フィルタとして、表示装置２００が表示する映像から視聴者の左眼へ到達する光の量（以下、左眼光量と称される）及び視聴者の右眼へ到達する光の量（以下、右眼光量と称される）を調整可能に形成された他の光学素子が用いられてもよい。例えば、左眼フィルタ及び右眼フィルタとして、視聴者の左眼及び右眼へ透過する光を偏向する偏向素子（例えば、液晶フィルタ）や光量を調整可能な他の光学素子が好適に用いられる。左眼フィルタは、Ｌフレーム画像の表示に同期して、左眼光量を増大させる一方で、Ｒフレーム画像の表示に同期して、左眼光量を低減させるように制御される。同様に、右眼フィルタは、Ｒフレーム画像の表示に同期して、右眼光量を増大させる一方で、Ｌフレーム画像の表示に同期して、右眼光量を低減させるように制御される。
【００５４】
表示装置２００は、映像信号処理部２１０、液晶駆動部２２０、表示部２３０、第１制御部２５０及び第２制御部２４０を備える。
【００５５】
映像信号処理部２１０には、基本となる垂直同期周波数を有する映像信号（左眼用映像信号及び右眼用映像信号）が入力される。映像信号処理部２１０は、入力された左眼用映像信号（以下、Ｌ信号と称される）と右眼用映像信号（以下、Ｒ信号と称される）とを、基本となる垂直同期周波数のＫ倍（Ｋは自然数）の周波数で、交互に出力する。本実施形態では、入力された６０Ｈｚの映像信号が、１２０ＨｚのＬ信号及びＲ信号に変換される。変換を通じて得られたＬ信号及びＲ信号は、液晶駆動部２２０へ出力される。加えて、映像信号処理部２１０は、Ｌ信号及びＲ信号の出力に同期して、第１制御部２５０に制御信号を出力する。
【００５６】
表示部２３０は、バックライト２３２を備える。第１制御部２５０は、映像信号処理部２１０からの制御信号に基づき、表示部２３０のバックライト２３２を制御する。映像信号処理部２１０は、Ｌ信号及びＲ信号の出力に同期して、第２制御部２４０を制御するための制御信号を出力する。第２制御部２４０は、映像信号処理部２１０からの制御信号に基づき、光学シャッタ部３１０を制御する。第１制御部２５０及び／又は第２制御部２４０へ出力される制御信号は、映像信号処理部２１０による変換後のＬ信号及び／又はＲ信号自体であってもよい。代替的に、Ｌ信号及び／又はＲ信号の１２０Ｈｚの垂直同期信号であってもよい。
【００５７】
以下の説明において、Ｌ信号に含まれる一の垂直同期信号と、該一の垂直同期信号に続いて入力される後続の垂直同期信号との間の映像情報を含む映像信号は、Ｌフレーム画像信号と称される。また、Ｒ信号に含まれる一の垂直同期信号と、該一の垂直同期信号に続いて入力される後続の垂直同期信号との間の映像情報を含む映像信号は、以下の説明において、Ｒフレーム画像信号と称される。Ｌフレーム画像信号は、Ｌフレーム画像を表現するために用いられる。同様に、Ｒフレーム画像信号は、Ｒフレーム画像を表現するために用いられる。本実施形態において、Ｌフレーム画像信号及び／又はＲフレーム画像信号は、フレーム画像信号として例示される。
【００５８】
表示部２３０は、上述のバックライト２３２に加えて、液晶を用いてＬフレーム画像とＲフレーム画像とを時間的に交互に切り換えて、立体的に知覚される画像を表示面に表示する液晶パネル２３１を備える。バックライト２３２は、映像信号処理部２１０からの制御信号に基づき、液晶パネル２３１に光を照射する。液晶駆動部２２０は、主走査方向及び副走査方向にフレーム画像信号（Ｌフレーム画像信号又はＲフレーム画像信号）を走査し、液晶パネル２３１の液晶を駆動する。図２に示されるように、液晶パネル２３１の幅方向は、フレーム画像信号の主走査方向として例示される。液晶パネル２３１の上下方向は、フレーム画像信号の副走査方向として例示される。以下の説明において、フレーム画像の表示に用いられる副走査方向の区間（液晶パネル２３１の上端縁から下端縁までの区間）は、副走査区間Ｓと称される。液晶駆動部２２０は、Ｌフレーム画像信号とＲフレーム画像信号とを交互に走査する。この結果、液晶パネル２３１にＬフレーム画像及びＲフレーム画像が時間的に交互に表示される。
【００５９】
映像信号処理部２１０は、１つのＬフレーム画像に対応して、第１画像信号と、第１画像信号に後続する第２画像信号とを液晶駆動部２２０へ出力する。同様に、映像信号処理部２１０は、１つのＲフレーム画像に対応して、第１画像信号と、第１画像信号に後続する第２画像信号とを液晶駆動部２２０へ出力する。第１画像信号は、映像信号処理部２１０に入力されたフレーム画像信号（Ｌフレーム画像信号及びＲフレーム画像信号）より低い解像度の画像を表す。第２画像信号は、第１画像信号よりも高い解像度の画像を表す。本実施形態において、フレーム画像信号に基づき、第１画像信号と第２画像信号とを生成する映像信号処理部２１０は、生成部として例示される。また、異なる解像度の画像を表す第１画像信号及び第２画像信号それぞれは、書込画像信号として例示される。
【００６０】
第１画像信号及び第２画像信号は、液晶駆動部２２０にそれぞれ入力される。液晶駆動部２２０は、第１画像信号に基づき、液晶パネル２３１の表示面に亘って液晶を駆動させる第１走査動作と、第２画像信号に基づき、液晶パネル２３１の表示面に亘って液晶を駆動させる第２走査動作と、を実行する。尚、第２走査動作は、第１走査動作の後に実行される。上述の如く、第１画像信号は、比較的低い解像度の画像を表すので、液晶駆動部２２０は、第１走査動作を第２走査動作よりも短期間で実行することができる。この結果、第１走査動作が実行された後であっても、左眼シャッタ３１１が開く前又は右眼シャッタ３１２が閉じる前に実行される第２走査動作のための十分に長い時間が確保されることとなる。
【００６１】
本実施形態において、液晶駆動部２２０は、書込画像信号として例示される第１画像信号及び第２画像信号に基づき、２回（Ｎ＝２）の走査動作を実行する。後述される他の実施形態において、映像信号処理部は、フレーム画像信号に基づき異なる解像度の画像を表す第１乃至第３画像信号を書込画像信号として生成並びに出力する。液晶駆動部は、第１乃至第３画像信号に基づき、３回（Ｎ＝３）の走査動作を実行する。後述される更に他の実施形態において、映像信号処理部は、フレーム画像信号に基づき異なる解像度の画像を表す第１乃至第Ｎ画像信号を書込画像信号として生成並びに出力する。液晶駆動部は、第１乃至第Ｎ画像信号に基づき、Ｎ回の走査動作を実行する。尚、Ｎは、２以上の整数であり、液晶駆動部は、例えば、４回或いはそれ以上の走査動作を実行してもよい。以下の説明において、「Ｎ」は、液晶駆動部の走査動作の総数を意味する。また、「ｎ」は、１以上Ｎ未満の整数を意味する。
【００６２】
本実施形態（Ｎ＝２）において、１回目の走査動作に用いられる第１画像信号は、２回目の走査動作に用いられた第２画像信号が表す画像よりも低い解像度の画像を表す。後述される他の実施形態（Ｎ＝３）において、１回目の走査動作に用いられる第１画像信号は、２回目の走査動作に用いられた第２画像信号が表す画像よりも低い解像度の画像を表す。また、２回目の走査動作に用いられる第２画像信号は、３回目の走査動作に用いられた第３画像信号が表す画像よりも低い解像度の画像を表す。必要に応じて、第１画像信号及び第２画像信号は、等しい解像度の画像を表してもよい。また、第２画像信号及び第３画像信号は、等しい解像度の画像を表してもよい。液晶駆動部が４回の走査動作を行うならば、１回目の走査動作に用いられる第１画像信号は、２回目の走査動作に用いられた第２画像信号が表す画像よりも低い解像度の画像を表す。また、２回目の走査動作に用いられる第２画像信号は、３回目の走査動作に用いられた第３画像信号が表す画像よりも低い解像度の画像を表す。３回目の走査動作に用いられる第３画像信号は、４回目の走査動作に用いられた第４画像信号が表す画像よりも低い解像度の画像を表す。必要に応じて、第１画像信号及び第２画像信号は、等しい解像度の画像を表してもよい。第２画像信号及び第３画像信号は、等しい解像度の画像を表してもよい。また、第３画像信号及び第４画像信号は、等しい解像度の画像を表してもよい。即ち、ｎ回の走査動作によって走査された書込画像信号は、（ｎ＋１）回目の走査動作によって走査された書込画像信号と比べて低い解像度の画像を表す少なくとも１つの書込画像信号を含めばよい。
【００６３】
液晶駆動部２２０は、第１画像信号及び第２画像信号に含まれる垂直同期信号及び水平同期信号にしたがって、第１画像信号及び第２画像信号を、液晶パネル２３１が表示可能な形式に変換する。液晶駆動部２２０は、液晶パネル２３１上のフレーム画像の表示ごとに変換された第１画像信号及び第２画像信号のフレーム画像信号を用いて、第１走査動作と第２走査動作とをそれぞれ実行する。
【００６４】
上述の液晶駆動部２２０による液晶の駆動によって、液晶パネル２３１は、入力された第１画像信号と第２画像信号とに応じて、背面から入射する光を変調する。この結果、液晶パネル２３１は、左眼で視聴されるように作成されたＬフレーム画像と、右眼で視聴されるように作成されたＲフレーム画像とを交互に表示する。液晶パネル２３１には、例えば、ＩＰＳ（In Plane Switching）方式や、ＶＡ（Vertical Alignment）方式やＴＮ（Twisted Nematic）方式といった様々な駆動方式が好適に適用される。
【００６５】
バックライト２３２は、液晶パネル２３１の背面から液晶パネル２３１の表示面に向けて光を照射する。本実施形態において、バックライト２３２として、面発光するように二次元配列された複数の発光ダイオード（ＬＥＤ）（図示せず）が用いられている。代替的に、バックライト２３２として、面発光するように配列された複数の蛍光管が用いられてもよい。バックライト２３２として用いられる発光ダイオードや蛍光管は、液晶パネル２３１の縁部に配設され、面発光を生じさせてもよい（エッジタイプ）。
【００６６】
第１制御部２５０は、映像信号処理部２１０から出力された１２０Ｈｚの制御信号を基準に発光制御信号を出力する。バックライト２３２は、発光制御信号に基づき明滅可能である。
【００６７】
第２制御部２４０は、眼鏡装置３００の光学シャッタ部３１０を、Ｌフレーム画像及びＲフレーム画像の表示周期に合わせて制御する。第２制御部２４０は、左眼シャッタ３１１を制御するための左眼用のフィルタ制御部２４１（以下、Ｌフィルタ制御部２４１と称される）と、右眼シャッタ３１２を制御するための右眼用のフィルタ制御部２４２（以下、Ｒフィルタ制御部２４２と称される）とを備える。液晶パネル２３１がＬフレーム画像及びＲフレーム画像を、例えば、１２０Ｈｚで交互に表示するとき、Ｌフィルタ制御部２４１は、左眼シャッタ３１１が６０Ｈｚの周期で左眼光量を調整する（増減させる）ように眼鏡装置３００を制御する。同様に、Ｒフィルタ制御部２４２は、右眼シャッタ３１２が６０Ｈｚの周期で右眼光量を調整する（増減させる）ように眼鏡装置３００を制御する。
【００６８】
図２に示される如く、本実施形態において、表示装置２００は、Ｌフレーム画像の表示に同期する第１同期信号を送信する第１送信部２４３と、Ｒフレーム画像の表示に同期する第２同期信号を送信する第２送信部２４４とを備える。また、眼鏡装置３００は、左眼シャッタ３１１と右眼シャッタ３１２との間に配設される受信部３２０を備える。受信部３２０は、第１同期信号及び第２同期信号を受信する。第１同期信号の波形は、好ましくは、第２同期信号の波形と異なる。受信部３２０は、受信された同期信号の波形に基づき、第１同期信号と第２同期信号とを識別する。かくして、眼鏡装置３００は、第１同期信号に基づき、左眼シャッタ３１１を動作させる。また、眼鏡装置３００は、第２同期信号に基づき、右眼シャッタ３１２を動作させる。表示装置２００と眼鏡装置３００との間の同期信号の無線通信並びに眼鏡装置３００による同期信号（第１同期信号及び第２同期信号）の内部処理に対して、既知の他の通信技術並びに既知の他の信号処理技術が用いられてもよい。代替的に、表示装置２００と眼鏡装置３００との間の同期信号（第１同期信号及び第２同期信号）の通信が、有線式に行われてもよい。また、左眼用映像の表示に同期する第１同期信号を送信する第１送信部２４３と、右眼用映像の表示に同期する第２同期信号を送信する第２送信部２４４とを共通化して１つの送信部としてもよい。この場合、左眼用映像の表示及び右眼用映像の表示は、共通化された同期信号の立ち上がりに交互に同期されてもよい。
【００６９】
Ｌフィルタ制御部２４１及びＲフィルタ制御部２４２は、映像信号処理部２１０からの制御信号を基準とし、左眼シャッタ３１１による左眼光量の増減周期の位相及び右眼シャッタ３１２による右眼光量の増減周期の位相を決定する。Ｌフィルタ制御部２４１及びＲフィルタ制御部２４２は、決定された位相に従い、第１同期信号及び第２同期信号を出力する。左眼シャッタ３１１及び右眼シャッタ３１２それぞれは、第１同期信号及び第２同期信号に基づき、Ｌフレーム画像の表示及びＲフレーム画像の表示に同期して、左眼光量及び右眼光量を増減させる。
【００７０】
第２制御部２４０は、液晶パネル２３１の応答特性並びに表示されるＬフレーム画像とＲフレーム画像との間のクロストーク（相互干渉）を考慮して、左眼シャッタ３１１及び右眼シャッタ３１２それぞれが左眼光量及び右眼光量を増大させている期間（以下、光量増大期間と称される）の長さと、光量増大期間のタイミング（位相）を決定する。Ｌフィルタ制御部２４１は、左眼光量に対する光量増大期間の長さ及びタイミングを制御する。Ｒフィルタ制御部２４２は、右眼光量に対する光量増大期間の長さ及びタイミングを制御する。
【００７１】
映像信号処理部２１０の１２０Ｈｚの制御信号に基づき動作する第１制御部２５０は、左眼シャッタ３１１及び右眼シャッタ３１２による光量調整の動作に同期してバックライト２３２を発光させる発光制御信号を出力する。バックライト２３２は、発光制御信号に基づき、明滅することができる。尚、本実施形態において、バックライト２３２は、第１制御部２５０の制御下で、常時点灯している。したがって、視聴者がフレーム画像を視聴することができる視聴期間のタイミング及び長さは、眼鏡装置３００の光学シャッタ部３１０の動作によって定められる。
【００７２】
代替的に、第１制御部は、第２制御部によって調整される光量増大期間中の一部の期間或いは光量増大期間と略一致する期間において、バックライトを点灯させ、他の期間においてバックライトを消灯させてもよい。このような第１制御部によるバックライトの明滅制御下において、視聴者がフレーム画像を視聴することができる視聴期間のタイミング及び長さは、バックライトの明滅動作によって定められる。
【００７３】
（映像信号処理部）
図３は、本実施形態に従う表示装置２００の映像信号処理部２１０の機能構成を概略的に示すブロック図である。図１及び図３を用いて、映像信号処理部２１０が説明される。
【００７４】
映像信号処理部２１０は、第１等価部２１１、第１選択部２１２、第１遅延部２１３、第２等価部２１４、第２遅延部２１５、第３遅延部２１６、第１補正部２１７、第２補正部２１８、第２選択部２１９及び出力部２２１を備える。
【００７５】
第１等価部２１１及び第２等価部２１４は、後述される等価処理を行う。液晶駆動部２２０は、等価処理を通じて得られた第１画像信号を、比較的短期間で液晶パネル２３１の表示面に亘って走査する。第１遅延部２１３，第２遅延部２１５及び第３遅延部２１６は、入力された信号をそれぞれ遅延させて出力する。第１補正部２１７及び第２補正部２１８は、後述されるオーバードライブ処理を行う。オーバードライブ処理によって、画素の輝度は比較的短期間で変化する。第１選択部２１２及び第２選択部２１９は、複数の入力信号を走査期間（第１画像信号が走査される第１走査期間，第２画像信号が走査される第２走査期間）に合わせて選択的に出力する。出力部２２１は、第１画像信号及び第２画像信号を液晶駆動部２２０に出力する。
【００７６】
（等価処理（平均化処理））
図４は、液晶パネル２３１の一部を概略的に示す模式図である。図５は、等価処理として例示される平均化処理を通じて設定される画素の輝度変化を示す。図１、図３乃至図５を用いて、平均化処理が説明される。
【００７７】
液晶パネル２３１は、主走査方向に延びる複数のゲート線と、副走査方向に延びる複数のデータ線と、を含む。図４には、副走査方向に整列したゲート線Ｌ１乃至Ｌ１６及び主走査方向に整列したデータ線Ｍ１乃至Ｍ３２が示されている。各ゲート線Ｌ１乃至Ｌ１６と各データ線Ｍ１乃至Ｍ３２との交点には、画素Ｐ及び画素Ｐに対応する液晶（図示せず）がそれぞれ割り当てられる。各ゲート線Ｌ１乃至Ｌ１６と各データ線Ｍ１乃至Ｍ３２とに印加される電圧に応じて、液晶の駆動量が定められる。
【００７８】
図５には、ゲート線Ｌ１乃至Ｌ４とデータ線Ｍ１及びＭ２とのそれぞれの交点に対応する画素Ｐ１乃至Ｐ８が示されている。図３に示される如く、第１等価部２１１にはフレーム画像信号（Ｌフレーム画像信号及びＲフレーム画像信号）が直接的に入力される。また、フレーム画像信号は、第１遅延部２１３を介して、第２等価部２１４に入力される。第１等価部２１１及び第２等価部２１４は、副走査方向に整列した複数の画素を含む画素グループ（図５中、点線で囲まれる画素の組）を設定する。図５には、データ線Ｍ１上に整列した画素Ｐ１，Ｐ２の組を含む画素グループＧ１，データ線Ｍ１上に整列した画素Ｐ３，Ｐ４の組を含む画素グループＧ２，データ線Ｍ２上に整列した画素Ｐ５，Ｐ６の組を含む画素グループＧ３及びデータ線Ｍ２上に整列した画素Ｐ７，Ｐ８の組を含む画素グループＧ４が示されている。
【００７９】
図５中の各画素内に示された数値は、画素に対して割り当てられた輝度を示す。フレーム画像信号は、例えば、画素Ｐ１，Ｐ３に対して、「４０」の輝度を規定し、画素Ｐ２，Ｐ４，Ｐ６，Ｐ８に対して、「６０」の輝度を規定し、画素Ｐ５，Ｐ７に対して、「８０」の輝度を規定している。第１等価部２１１及び第２等価部２１４は、各画素グループＧ１，Ｇ２，Ｇ３，Ｇ４内で輝度を平均化する。第１等価部２１１及び第２等価部２１４は、画素グループＧ１中の画素Ｐ１，Ｐ２に対して規定された「４０」の輝度と「６０」の輝度とを平均化し、「５０」の輝度を画素Ｐ１，Ｐ２に設定する。第１等価部２１１及び第２等価部２１４は、画素グループＧ２中の画素Ｐ３，Ｐ４に対して規定された「４０」の輝度と「６０」の輝度とを平均化し、「５０」の輝度を画素Ｐ３，Ｐ４に設定する。第１等価部２１１及び第２等価部２１４は、画素グループＧ３中の画素Ｐ５，Ｐ６に対して規定された「８０」の輝度と「６０」の輝度とを平均化し、「７０」の輝度を画素Ｐ５，Ｐ６に設定する。第１等価部２１１及び第２等価部２１４は、画素グループＧ４中の画素Ｐ７，Ｐ８に対して規定された「８０」の輝度と「６０」の輝度とを平均化し、「７０」の輝度を画素Ｐ７，Ｐ８に設定する。図４に示される如く、上述の平均化処理は、ゲート線Ｌ１乃至Ｌ１６と各データ線Ｍ１乃至Ｍ３２との交点に対応する全ての画素Ｐに対して実行される。本実施形態において、フレーム画像信号が画素Ｐそれぞれに対して規定する輝度は、目標輝度として例示される。フレーム画像信号が画素グループ内の画素に対して規定した目標輝度の平均値は、平均輝度として例示される。
【００８０】
（等価処理（選択処理））
図６は、液晶パネル２３１の一部を概略的に示す模式図である。図７は、等価処理として例示される選択処理を通じて設定される画素の輝度変化を示す。図１、図３、図６及び図７を用いて、平均化処理が説明される。
【００８１】
液晶パネル２３１は、主走査方向に延びる複数のゲート線と、副走査方向に延びる複数のデータ線と、を含む。図６には、副走査方向に整列したゲート線Ｌ１乃至Ｌ１６及び主走査方向に整列したデータ線Ｍ１乃至Ｍ３２が示されている。各ゲート線Ｌ１乃至Ｌ１６と各データ線Ｍ１乃至Ｍ３２との交点には、画素Ｐ及び画素Ｐに対応する液晶（図示せず）がそれぞれ割り当てられる。各ゲート線Ｌ１乃至Ｌ１６と各データ線Ｍ１乃至Ｍ３２とに印加される電圧に応じて、液晶の駆動量が定められる。
【００８２】
図７には、ゲート線Ｌ１乃至Ｌ４とデータ線Ｍ１及びＭ２とのそれぞれの交点に対応する画素Ｐ１乃至Ｐ８が示されている。第１等価部２１１及び第２等価部２１４は、副走査方向に整列した複数の画素を含む画素グループ（図７中、点線で囲まれる画素の組）を設定する。図７には、データ線Ｍ１上に整列した画素Ｐ１，Ｐ２の組を含む画素グループＧ１，データ線Ｍ１上に整列した画素Ｐ３，Ｐ４の組を含む画素グループＧ２，データ線Ｍ２上に整列した画素Ｐ５，Ｐ６の組を含む画素グループＧ３及びデータ線Ｍ２上に整列した画素Ｐ７，Ｐ８の組を含む画素グループＧ４が示されている。
【００８３】
図７中の各画素Ｐ１乃至Ｐ８内に示された数値は、画素Ｐ１乃至Ｐ８それぞれに対して割り当てられた輝度を示す。フレーム画像信号は、例えば、画素Ｐ１，Ｐ３に対して、「４０」の輝度を規定し、画素Ｐ２，Ｐ４，Ｐ６，Ｐ８に対して、「６０」の輝度を規定し、画素Ｐ５，Ｐ７に対して、「８０」の輝度を規定している。第１等価部２１１及び第２等価部２１４は、各画素グループＧ１，Ｇ２，Ｇ３，Ｇ４内で輝度を選択する。第１等価部２１１及び第２等価部２１４は、奇数番号のゲート線上の画素Ｐ１，Ｐ３，Ｐ５，Ｐ７に対して規定された輝度を選択し、画素グループＧ１，Ｇ２，Ｇ３，Ｇ４内の他の画素Ｐ２，Ｐ４，Ｐ６，Ｐ８に選択された輝度をそれぞれ割り当てる。したがって、画素グループＧ１内の画素Ｐ１，Ｐ２並びに画素グループＧ２内の画素Ｐ３，Ｐ４内の画素Ｐ３，Ｐ４の輝度は、「４０」に設定される。また、画素グループＧ３内の画素Ｐ５，Ｐ６並びに画素グループＧ４内の画素Ｐ７，Ｐ８の輝度は、「８０」に設定される。代替的に、第１等価部２１１及び第２等価部２１４は、フレーム画像信号が画素グループ内の画素に対して定めた輝度のうち、大きい方或いは小さい方を選択してもよい。更に代替的に、第１等価部２１１及び第２等価部２１４は、他の適切な基準に基づき、第１画像信号を生成するための輝度を選択してもよい。図６に示される如く、上述の選択処理は、ゲート線Ｌ１乃至Ｌ１６と各データ線Ｍ１乃至Ｍ３２との交点に対応する全ての画素Ｐに対して実行される。本実施形態において、第１等価部２１１及び第２等価部２１４によって選択された輝度は、選択輝度として例示される。
【００８４】
（第１走査動作及び第２走査動作）
第１画像信号を走査するための第１走査動作及び第２画像信号を走査するための第２走査動作が以下に説明される。
【００８５】
第１等価部２１１及び第２等価部２１４は、フレーム画像信号に対して、上述の平均化処理を行い、平均化信号を出力する。或いは、第１等価部２１１及び第２等価部２１４は、フレーム画像信号に対して、上述の選択処理を行い、選択信号を出力する。
【００８６】
図３に示される如く、平均化信号又は選択信号は、第１選択部２１２，第１補正部２１７及び第２補正部２１８へ入力される。第１補正部２１７は、上述の平均輝度又は選択輝度に対する補正値を規定する補正信号を第２選択部２１９に出力する。第２補正部２１８は、フレーム画像信号が規定する目標輝度に対する補正値を規定する補正信号を第２選択部２１９に出力する。
【００８７】
本実施形態及び以下に示される一連の他の実施形態の原理は、上述の等価処理によって得られた信号を用いて、比較的短い走査動作を１若しくはそれ以上の回数行うことに特徴付けられる。当該特徴的な原理は、図３のブロック図よりも簡素化された構成で達成可能である。例えば、第１遅延部、第２等価部、第２遅延部、第３遅延部、第１補正部、第２補正部及び第２選択部は省略されてもよい。第１等価部は、走査回数に応じて、画素グループを設定し、平均化信号又は選択信号を第１選択部に出力する。第１選択部は、走査回数に応じて、平均化信号又は選択信号或いはＲフレーム画像信号又はＬフレーム画像信号を、出力部を介して、液晶駆動部へ出力する。かくして、比較的簡素化された信号処理の下、多回の走査動作が実行される。
【００８８】
後述される第１遅延部、第２等価部、第２遅延部、第３遅延部、第１補正部、第２補正部及び第２選択部は、上述の特徴的な原理に加え、より速く液晶を駆動させるためのオーバードライブ処理に寄与する。以下の説明において、オーバードライブ処理を伴う多数回走査が説明される。必要に応じて、オーバードライブ処理は省略されてもよい。
【００８９】
図８は、出力部２２１の処理を概略的に示す。図３及び図８を用いて、出力部２２１の処理が説明される。尚、図８は、図７に関連して説明された選択処理によって生成された選択信号に対する出力部２２１の処理を示す。図８に関連して説明される出力部２２１の処理の原理は、図７に関連して説明された平均化処理によって生成された平均化信号に対する出力部２２１の処理にも同様に適用される。
【００９０】
図８（ａ）は、第１画像信号を出力する出力部２２１の処理を示す。図８（ｂ）は、第２画像信号を出力する出力部２２１の処理を示す。
【００９１】
第１画像信号の走査が行われる第１走査期間において、第１選択部２１２は、選択信号を出力部２２１に出力し、第２選択部２１９は、第１補正部２１７によって生成された補正信号を出力部２２１に出力する。出力部２２１は、選択信号が規定する選択輝度と、第１補正部２１７によって生成された補正信号が規定する補正値とを加算する。
【００９２】
図８（ａ）に示される如く、第１補正部２１７によって生成された補正信号は、画素グループＧ１，Ｇ２，Ｇ３，Ｇ４内の画素に対して、等しい補正値を規定する。図８（ａ）において、画素グループＧ１内の画素Ｐ１，Ｐ２に対して、「Ｃ１」の補正値が規定されている。画素グループＧ２内の画素Ｐ３，Ｐ４に対して、「Ｃ２」の補正値が規定されている。画素グループＧ３内の画素Ｐ５，Ｐ６に対して、「Ｃ３」の補正値が規定されている。画素グループＧ４内の画素Ｐ７，Ｐ８に対して、「Ｃ４」の補正値が規定されている。かくして、出力部２２１は、画素グループＧ１，Ｇ２，Ｇ３，Ｇ４内の画素に共通する等価輝度を規定する第１画像信号を生成する。本実施形態において、第１画像信号は、等価信号として例示される。また、平均輝度又は選択輝度と第１補正部２１７によって生成された補正信号が規定する補正値との加算によって規定される輝度は等価輝度として例示される。
【００９３】
図３に示される如く、フレーム画像信号は、第１選択部２１２及び第２補正部２１８に入力される。第２補正部２１８は、画素ごとに個別に補正値を設定する。図８（ｂ）に示される如く、画素Ｐ１乃至Ｐ８に対して、補正値「Ｄ１」乃至「Ｄ８」がそれぞれ規定されている。補正値「Ｄ１」乃至「Ｄ８」は、それぞれ異なる輝度値であってもよい。第２補正部２１８は、補正値「Ｄ１」乃至「Ｄ８」を規定する補正信号を第２選択部２１９に出力する。
【００９４】
第２画像信号の走査が行われる第２走査期間において、第１選択部２１２は、フレーム画像信号を出力部２２１に出力し、第２選択部２１９は、第２補正部２１８によって生成された補正信号を出力部２２１に出力する。出力部２２１は、フレーム画像信号が規定する目標輝度と、第１補正部２１７によって生成された補正信号が規定する補正値とを加算する。したがって、第１画像信号と異なり、第２画像信号は、画素ごとに異なる輝度を規定してもよい。図８（ａ）及び図８（ｂ）それぞれに示される画素Ｐ１乃至Ｐ８中に示された輝度値は、第１走査期間及び第２走査期間における駆動輝度として例示される。
【００９５】
図９は、液晶駆動部２２０が行う走査動作を示す概略的なグラフである。図９（ａ）は、第１画像信号に基づく第１走査動作を示す。図９（ｂ）は、第２画像信号に基づく第２走査動作を示す。図９は、ゲート線Ｌ１乃至Ｌ１２までの走査動作を示す。図９（ａ）及び図９（ｂ）の横軸は、ゲート線Ｌ１乃至Ｌ１２までの走査動作を行っている時間軸である。図９（ａ）及び図９（ｂ）の縦軸は、液晶パネル２３１の副走査方向に位置を表す。図１、図８及び図９を用いて、第１走査動作及び第２走査動作が説明される。
【００９６】
第１画像信号は、図８に関連して説明された如く、副走査方向に整列した画素を含む画素グループＧ１，Ｇ２，Ｇ３，Ｇ４内の画素に対して、等しい輝度を規定する。したがって、液晶駆動部２２０は、ゲート線Ｌ２ｔ−１，Ｌ２ｔ上に第１画像信号を同時に書き込むことができる。この結果、ゲート線Ｌ２ｔ−１，Ｌ２ｔ上の画素に対応する液晶は、同時に駆動される。
【００９７】
第２画像信号は、図８に関連して説明された如く、画素ごとに異なる輝度を潜在的に規定する。したがって、液晶駆動部２２０は、ゲート線Ｌ１から下端のゲート線に向けて、順次、第２画像信号を書き込む。
【００９８】
本実施形態において、第１走査動作を行う液晶駆動部２２０は、２つのゲート線Ｌ２ｔ−１，Ｌ２ｔの組に同時に第１画像信号の書き込みを行うので、ゲート線Ｌ１２までの書き込みを完了するまでの第１走査動作の期間Ｔ１は、ゲート線Ｌ１２までの書き込みを完了するまでの第２走査動作の期間Ｔ２の半分となる。比較的短期間で行われる第１走査動作によって、液晶パネル２３１の液晶の駆動が表示面全体に亘って早期に開始されるので、特に表示面下部領域におけるクロストークが低減される。
【００９９】
図８に関連して説明された第１画像信号の生成の原理並びに図９に関連して説明された走査期間の短縮の原理は、後述される他の実施形態にも同様に適用される。例えば、液晶駆動部が３回の走査動作を行うならば（Ｎ＝３）、１回目の走査動作に用いられる第１画像信号を生成するために、映像信号処理部は、例えば、副走査方向に整列した４つの画素を含む画素グループを規定する。また、２回目の走査動作に用いられる第２画像信号を生成するために、映像信号処理部は、副走査方向に整列した２つの画素を含む画素グループを規定する。更に、３回目の走査動作に用いられる第３画像信号を生成するために、映像信号処理部は、単一の画素からなる画素グループを規定する。この結果、第１画像信号が走査される第１走査期間は、第２画像信号が走査される第２走査期間の半分の長さとなる。また、第２走査期間は、第３画像信号が走査される第３走査期間の半分の長さとなる。
【０１００】
液晶駆動部が４回の走査動作を行うならば、１回目の走査動作に用いられる第１画像信号を生成するために、映像信号処理部は、例えば、副走査方向に整列した８つの画素を含む画素グループを規定する。また、２回目の走査動作に用いられる第２画像信号を生成するために、映像信号処理部は、副走査方向に整列した４つの画素を含む画素グループを規定する。更に、３回目の走査動作に用いられる第３画像信号を生成するために、映像信号処理部は、副走査方向に整列した２つの画素を含む画素グループを規定する。また、４回目の走査動作に用いられる第４画像信号を生成するために、映像信号処理部は、単一の画素を含む画素グループを規定する。この結果、第１画像信号が走査される第１走査期間は、第２画像信号が走査される第２走査期間の半分の長さとなる。また、第２走査期間は、第３画像信号が走査される第３走査期間の半分の長さとなる。更に、第３走査期間は、第４画像信号が走査される第４走査期間の半分の長さとなる。即ち、（ｎ＋１）回目の走査動作によって走査された書込画像信号と比べて低い解像度の画像を表す書込画像信号は、図９に関連して説明された原理に従って、（ｎ＋１）回目の走査動作によって走査された書込画像信号よりも短い時間で書き込まれる。また、（ｎ＋１）回目の走査動作によって走査された書込画像信号は、（ｎ＋１）回目の走査動作によって走査された書込画像信号と比べて低い解像度の画像を表す書込画像信号の生成に用いられた画素グループの画素の数よりも少ない数の画素を含む画素グループを用いて生成される。
【０１０１】
（信号出力）
図１０は、映像信号処理部２１０中の信号の出力図である。図１１は、第１走査期間における映像信号処理部２１０中の信号の出力を表す概略的なブロック図である。図１２は、第２走査期間における映像信号処理部２１０中の信号の出力を表す概略的なブロック図である。図４乃至図８並びに図１０乃至図１２を用いて、映像信号処理部２１０中の信号の出力が説明される。
【０１０２】
図１０には、Ｘ番目のＬフレーム画像を表示するための左眼期間、Ｘ番目のＲフレーム画像を表示するための右眼期間、（Ｘ＋１）番目のＬフレーム画像を表示するための左眼期間及び（Ｘ＋１）番目のＲフレーム画像を表示するための右眼期間が示されている。以下の説明において、Ｘ番目のＲフレーム画像を表示するための右眼期間における信号の出力が説明される。尚、他の期間においても、Ｘ番目のＲフレーム画像を表示するための右眼期間における信号の出力の原理は同様に適用される。以下の説明において、Ｘ番目のＬフレーム画像は、先行フレーム画像として例示される。また、Ｘ番目のＲフレーム画像は、後続フレーム画像として例示される。
【０１０３】
図１１に示される如く、Ｘ番目のＲフレーム画像信号ＳＲｘ（２）が映像信号処理部２１０に入力されると、第１走査期間において、第１等価部２１１は、図６及び図７に関連して説明された選択処理を実行し、選択信号ＳＲｘ（１）を生成並びに出力する。選択信号ＳＲｘ（１）は、第１選択部２１２、第１補正部２１７及び第２遅延部２１５へ入力される。図１０乃至図１２に関連する説明において、第１等価部２１１及び第２等価部２１４は、図６及び図７に関連して説明された選択処理を行う。代替的に、第１等価部２１１及び第２等価部２１４は、図４及び図５に関連して説明された平均化処理を行ってもよい。
【０１０４】
第１遅延部２１３は、直前のＸ番目のＬフレーム画像を表示するための左眼期間において、Ｘ番目のＬフレーム画像信号ＳＬｘ（２）を取得している。第１遅延部２１３は、Ｌフレーム画像信号ＳＬｘ（２）を遅延させ、後続のＸ番目のＲフレーム画像を表示するための右眼期間の第１走査期間に第２等価部２１４及び第２補正部２１８へ出力する。本実施形態において、Ｘ番目のＬフレーム画像を表示するためのＬフレーム画像信号ＳＬｘ（２）は、先行フレーム画像信号として例示される。Ｘ番目のＲフレーム画像を表示するためのＲフレーム画像信号ＳＲｘ（２）は、後続フレーム画像信号として例示される。
【０１０５】
第２等価部２１４は、図６及び図７に関連して説明された選択処理を実行し、選択信号ＳＬｘ（１）を生成並びに出力する。選択信号ＳＬｘ（１）は、第１補正部２１７及び第３遅延部２１６へ入力される。
【０１０６】
第１補正部２１７は、選択信号ＳＲｘ（１）及び選択信号ＳＬｘ（１）に基づき、第１補正信号ＣＲｘ（１）を生成する。図８に関連して説明された如く、第１補正信号ＣＲｘ（１）が画素グループ内の画素に対して規定する補正値は等しい。第１補正信号ＣＲｘ（１）は、第２選択部２１９へ出力される。
【０１０７】
第１選択部２１２及び第２選択部２１９は、同期して、選択信号ＳＲｘ（１）及び第１補正信号ＣＲｘ（１）をそれぞれ出力部２２１へ出力する。図８に関連して説明された如く、出力部２２１は、選択信号ＳＲｘ（１）が規定する選択輝度と第１補正信号ＣＲｘ（１）が規定する補正値とを加算し、第１画像信号ＩＲｘ（１）を生成する。第１画像信号ＩＲｘ（１）は、液晶駆動部２２０へ出力される。
【０１０８】
図１２に示される如く、Ｘ番目のＲフレーム画像信号ＳＲｘ（２）は、第１等価部２１１だけでなく、第１選択部２１２へ入力される。第２走査期間において、第１選択部２１２は、Ｒフレーム画像信号ＳＲｘ（２）を出力する。
【０１０９】
Ｘ番目のＲフレーム画像信号ＳＲｘ（２）は、更に、第２補正部２１８に入力される。第２遅延部２１５は、第１走査期間において取得された選択信号ＳＲｘ（１）を遅延させ、第２走査期間において、遅延された選択信号ＳＲｘ（１ｄ）として、第２補正部２１８へ出力する。第３遅延部２１６は、第１走査期間において取得された選択信号ＳＬｘ（１）を遅延させ、第２走査期間において、遅延された選択信号ＳＬｘ（１ｄ）として、第２補正部２１８へ出力する。第２補正部２１８には、第１遅延部２１３からＬフレーム画像信号ＳＬｘ（２）が更に入力される。第２補正部２１８は、Ｒフレーム画像信号ＳＲｘ（２），Ｌフレーム画像信号ＳＬｘ（２），選択信号ＳＲｘ（１ｄ）及び選択信号ＳＬｘ（１ｄ）を用いて、図８に関連して説明された補正値を決定し、第２補正信号ＣＲｘ（２）を第２選択部２１９に出力する。
【０１１０】
第１選択部２１２及び第２選択部２１９は、同期して、Ｒフレーム画像信号ＳＲｘ（２）及び第２補正信号ＣＲｘ（２）をそれぞれ出力部２２１へ出力する。図８に関連して説明された如く、出力部２２１は、Ｒフレーム画像信号ＳＲｘ（２）が規定する目標輝度と第２補正信号ＣＲｘ（２）が規定する補正値とを加算し、第２画像信号ＩＲｘ（２）を生成する。第２画像信号ＩＲｘ（２）は、液晶駆動部２２０へ出力される。
【０１１１】
（オーバードライブ処理）
第１補正部２１７及び第２補正部２１８による補正値の算出並びに出力部２２１による加算処理は、オーバードライブ処理として例示される。図１１に関連して説明された如く、第１補正部２１７は、第１画像信号ＩＲｘ（１）の走査が行われる第１走査期間におけるオーバードライブ処理に寄与する。図１２に関連して説明された如く、第２補正部２１８は、第２画像信号ＩＲｘ（２）の走査が行われる第２走査期間におけるオーバードライブ処理に寄与する。
【０１１２】
（第１補正部）
図１３は、第１補正部２１７が格納する第１補正テーブルの概念図である。図１、図７、図８、図１１及び図１３を用いて、第１補正部２１７が説明される。尚、以下の説明において、第１等価部２１１及び第２等価部２１４は、選択処理を行っている。代替的に、第１等価部２１１及び第２等価部２１４は、平均化処理を行っていてもよい。
【０１１３】
第１補正部２１７は、第１補正信号ＣＲｘ（１）を生成するための第１補正テーブル２２２を格納する。第１補正部２１７には、上述の如く、第１等価部２１１からの選択信号ＳＲｘ（１）及び第２等価部２１４からの選択信号ＳＬｘ（１）が入力される。上述の如く、第２等価部２１４は、第１遅延部２１３によって遅延されたフレーム画像信号に基づき、選択信号ＳＬｘ（１）を出力する。図１３に示される第１補正テーブル２２２中の第１等価部２１１からの入力に対応する座標軸は、第１等価部２１１からの選択信号ＳＲｘ（１）が規定する現行選択輝度を示す。第１補正テーブル２２２中の第２等価部２１４からの入力に対応する座標軸は、第２等価部２１４からの選択信号ＳＬｘ（１）が規定する先行選択輝度を示す。
【０１１４】
第１補正部２１７は、第１等価部２１１からの選択信号ＳＲｘ（１）に規定される現行選択輝度と、第２等価部２１４からの選択信号ＳＬｘ（１）に規定される先行選択輝度と、に基づき、画素Ｐ１乃至Ｐ８それぞれに対して、第１補正値を決定し、第１補正値の情報を含む第１補正信号ＣＲｘ（１）を第２選択部２１９へ出力する。尚、図８に関連して説明された如く、第１補正部２１７は、画素グループＧ１，Ｇ２，Ｇ３，Ｇ４内の画素に対して、等しい値の第１補正値を規定する。第１補正値の絶対値は、例えば、現行選択輝度と先行選択輝度との差が大きいほど、大きくなるように設定される。また、現行選択輝度が先行選択輝度よりも大きいならば、第１補正値は、正の値に設定される。現行選択輝度が先行選択輝度より小さいならば、第１補正値は負の値に設定される。後述されるように、選択された第１補正値に応じて、第１走査期間中に達成される画素Ｐ１乃至Ｐ８の輝度が変動する。
【０１１５】
図１１に示される如く、第１走査期間において、出力部２２１には、第１等価部２１１によって生成された選択信号ＳＲｘ（１）及び第１補正部２１７によって生成された第１補正信号ＣＲｘ（１）が入力される。
【０１１６】
出力部２２１は、第１等価部２１１によって生成された選択信号ＳＲｘ（１）が規定する現行選択輝度と、第１補正信号ＣＲｘ（１）が規定する第１補正値と、を加算する。上述の如く、現行選択輝度が先行選択輝度よりも大きいならば、第１補正値は、正の値に設定されるので、出力部２２１によって算出された加算値は、現行選択輝度よりも大きくなる。現行選択輝度が先行選択輝度よりも小さいならば、第１補正値は、負の値に設定されるので、出力部２２１によって算出された加算値は、現行選択輝度よりも小さくなる。上述の如く、第１等価部２１１は、画素グループＧ１，Ｇ２，Ｇ３，Ｇ４内の画素に対して、等しい値の現行選択輝度を規定している。また、第１補正部２１７は、画素グループＧ１，Ｇ２，Ｇ３，Ｇ４内の画素に対して、等しい値の第１補正値を規定している。したがって、画素グループＧ１，Ｇ２，Ｇ３，Ｇ４内の現行選択輝度と第１補正値との加算値は等しい値となる。第１走査動作が行われる第１走査期間において、出力部２２１は、算出された加算値の情報を含む第１画像信号ＩＲｘ（１）を液晶駆動部２２０へ出力する。本実施形態において、現行選択輝度と第１補正値との加算値は、第１走査期間における駆動輝度として例示される。尚、第１等価部２１１及び第２等価部２１４が、選択処理に代えて、平均化処理を行うならば、第１等価部２１１が出力する平均化信号が規定する現行平均輝度と第２等価部２１４が出力する平均化信号が規定する平均輝度とに基づいて、第１補正値が決定される。また、第１補正値と現行平均輝度とに基づいて、駆動輝度が決定される。
【０１１７】
液晶駆動部２２０は、第１画像信号ＩＲｘ（１）に基づき、液晶パネル２３１の液晶を駆動する。上述の如く、第１画像信号ＩＲｘ（１）が画素グループＧ１，Ｇ２，Ｇ３，Ｇ４内の画素に対して規定する駆動輝度は等しい値である。第１走査期間において、液晶駆動部２２０は、画素グループＧ１内で等しく設定された駆動輝度に向けて、画素Ｐ１，Ｐ２それぞれに対応する液晶を同時に駆動する。また、液晶駆動部２２０は、画素グループＧ３内で等しく設定された駆動輝度に向けて、画素Ｐ５，Ｐ６それぞれに対応する液晶を同時に駆動する。ゲート線Ｌ１，Ｌ２に対応する水平同期信号に基づき、ゲート線Ｌ１，Ｌ２に対応する画素に対する液晶の駆動が開始される。この結果、液晶駆動部２２０は、画素グループＧ２内で等しく設定された駆動輝度に向けて、画素Ｐ３，Ｐ４それぞれに対応する液晶を同時に駆動する。また、液晶駆動部２２０は、画素グループＧ４内で等しく設定された駆動輝度に向けて、画素Ｐ７，Ｐ８それぞれに対応する液晶を同時に駆動する。本実施形態において、第１補正値と現行平均輝度とに基づいて決定された駆動輝度は、等価輝度として例示される。
【０１１８】
（第２補正部）
図１４は、第２補正部２１８が格納する第２補正テーブルの概念図である。図１、図１２乃至図１４を用いて、第２補正部２１８が説明される。尚、以下の説明において、第１等価部２１１及び第２等価部２１４は、選択処理を行っている。代替的に、第１等価部２１１及び第２等価部２１４は、平均化処理を行っていてもよい。
【０１１９】
第２補正部２１８は、第２補正信号を生成するための第２補正テーブル２２３を格納する。第２補正テーブル２２３は、第２走査動作が開始されるときに画素が達成している輝度に対する期待値を決定するための期待値テーブル２２４と、期待値とフレーム画像信号とに基づき、第２走査が行われるときの駆動輝度を決定するための決定テーブル２２５と、を含む。本実施形態において、液晶駆動部２２０は、２回の走査動作を行う（Ｎ＝２）。したがって、期待値テーブル２２４は、２回目の走査動作が開始されるときに画素が達成している輝度に対する期待値に関する期待値データを格納する。後述される実施形態の如く、液晶駆動部が２回以上の走査動作を行うならば、期待値テーブルは、（ｎ＋１）回目の走査動作が行われるときに画素が達成している輝度に対する期待値に関する期待値データを格納してもよい。
【０１２０】
期待値テーブル２２４は、第１遅延部２１３からのＬフレーム画像信号ＳＬｘ（２）、第２遅延部２１５からの選択信号ＳＲｘ（１ｄ）及び第３遅延部２１６からの選択信号ＳＬｘ（１ｄ）が入力される入力テーブル２２６と、駆動輝度が決定される画素の副走査方向に位置に基づき、入力テーブル２２６からの出力値を調整するための調整テーブル２２７と、を含む。
【０１２１】
入力テーブル２２６には、上述の如く、第１遅延部２１３からのＬフレーム画像信号ＳＬｘ（２）、第２遅延部２１５からの選択信号ＳＲｘ（１ｄ）及び第３遅延部２１６からの選択信号ＳＬｘ（１ｄ）が入力される。図１４に示される入力テーブル２２６中の第２遅延部２１５からの入力に対応する座標軸は、第２遅延部２１５からの選択信号ＳＲｘ（１ｄ）が規定する現行選択輝度を示す。入力テーブル２２６中の第３遅延部２１６からの入力に対応する座標軸は、第３遅延部２１６からの選択信号ＳＬｘ（１ｄ）が規定する先行選択輝度を示す。尚、第２遅延部２１５からの選択信号ＳＲｘ（１ｄ）が規定する現行選択輝度及び第３遅延部２１６からの選択信号ＳＬｘ（１ｄ）が規定する先行選択輝度は、図１３に関連して説明された現行選択輝度及び先行選択輝度と等しい値である。
【０１２２】
図１５は、先行するＬフレーム画像信号ＳＬｘ（２）が規定する目標輝度と後続のＲフレーム画像信号ＳＲｘ（２）が規定する目標輝度との差異が与える画素の輝度変化に対する影響を概略的に示すグラフである。図７、図１４及び図１５を用いて、入力テーブル２２６が更に説明される。
【０１２３】
図１５中、水平方向に延びる直線ＨＬは、Ｒフレーム画像信号ＳＲｘ（２）が規定する目標輝度を示す。図１５中の曲線ＣＶ１は、先行するＬフレーム画像信号ＳＬｘ（２）が規定する目標輝度と後続のＲフレーム画像信号ＳＲｘ（２）が規定する目標輝度との差異が小さいときの画素の輝度変化を表す。図１５中の曲線ＣＶ２は、先行するＬフレーム画像信号ＳＬｘ（２）が規定する目標輝度と後続のＲフレーム画像信号ＳＲｘ（２）が規定する目標輝度との差異が大きいときの画素の輝度変化を表す。尚、時間「０」における曲線ＣＶ１，ＣＶ２の値は、それぞれ、先行するＬフレーム画像信号ＳＬｘ（２）が規定する目標輝度に相当する。図１５に示される如く、先行するＬフレーム画像信号ＳＬｘ（２）が規定する目標輝度と後続のＲフレーム画像信号ＳＲｘ（２）が規定する目標輝度との差異が小さいとき、画素の輝度は、Ｒフレーム画像信号ＳＲｘ（２）が規定する目標輝度に比較的早期に到達する。一方、先行するＬフレーム画像信号ＳＬｘ（２）が規定する目標輝度と後続のＲフレーム画像信号ＳＲｘ（２）が規定する目標輝度との差異が大きいとき、画素の輝度がＲフレーム画像信号ＳＲｘ（２）の目標輝度に到達するまでの期間は長くなる。
【０１２４】
図１４に示される如く、入力テーブル２２６は、第１遅延部２１３から入力される先行のＬフレーム画像信号ＳＬｘ（２）が規定する目標輝度に対応する座標軸を備える。
【０１２５】
第２補正部２１８は、第１遅延部２１３から入力されるＬフレーム画像信号ＳＬｘ（２）が規定する目標輝度、第２遅延部２１５からの選択信号ＳＲｘ（１ｄ）が規定する現行選択輝度及び第３遅延部２１６からの選択信号ＳＬｘ（１ｄ）が規定する先行選択輝度に基づき、画素Ｐ１乃至Ｐ８それぞれに対して、仮期待値を決定する。
【０１２６】
図１６は、画素の位置に起因する走査動作の差異を概略的に説明する模式図である。図１、図９、図１２、図１３及び図１６を用いて、画素の位置に起因する走査動作の差異が説明される。
【０１２７】
図９に関連して説明された如く、第１走査動作は、第２走査動作よりも短期間で行われる。第１走査動作の後、第２走査動作が開始されるまでの期間において、液晶は、図１２及び図１３に関連して説明された駆動輝度（等価輝度）に向けて駆動される。
【０１２８】
図１６には、等価輝度に向けて液晶が駆動される期間ＳＰ１，ＳＰ２が示されている。期間ＳＰ１は、比較的早期に駆動される液晶パネル２３１の上部の液晶が等価輝度に向けて駆動されている期間を示す。期間ＳＰ２は、比較的遅く駆動される液晶パネル２３１の下部の液晶が等価輝度に向けて駆動されている期間を示す。図１６に示される如く、期間ＳＰ２は、期間ＳＰ１より長くなる。
【０１２９】
図１７は、画素の位置が与える画素の輝度変化に対する影響を概略的に示すグラフである。図１、図８、図１２乃至図１４並びに図１６及び図１７を用いて、入力テーブル２２６が更に説明される。
【０１３０】
図１７中、水平方向に延びる直線ＨＬは、等価輝度を示す。図１７中の曲線ＣＶは、図１２及び図１３に関連して説明された等価輝度に向けて変動する画素の輝度を表す。上述の如く、液晶パネル２３１の上部の液晶は、期間ＳＰ１の間、等価輝度に向けて駆動される。この結果、液晶パネル２３１の上部の画素は、「ＡＢ１」の輝度を達成する。一方、液晶パネル２３１の下部の液晶は、期間ＳＰ２の間、等価輝度に向けて駆動される。この結果、液晶パネル２３１の下部の画素は、「ＡＢ２」の輝度を達成する。液晶パネル２３１の下部の画素は、液晶パネル２３１の上部の画素よりも等価輝度に近い値となっている。
【０１３１】
図１４に示される如く、期待値テーブル２２４は、調整テーブル２２７を含む。第２補正部２１８は、調整テーブル２２７を用いて、図１７に関連して説明された画素の位置に起因する達成輝度の差異を減少させるように仮期待値を調整し、期待値を決定する。本実施形態において、第２補正部２１８は、第１等価部２１１及び第２等価部２１４が規定した選択輝度、先行するフレーム画像信号が規定する目標輝度並びに画素に位置に基づき、期待値を決定する。代替的に、第２補正部２１８は、選択輝度に代えて、第１等価部２１１及び第２等価部２１４が規定した平均輝度に基づき、期待値を決定してもよい。第２補正部は、更に代替的に、画素の輝度に影響する他の因子（例えば、液晶パネル２３１の温度分布）に基づき、期待値を決定してもよい。
【０１３２】
決定テーブル２２５は、第２走査期間に出力される第２補正値のデータを格納する。決定テーブル２２５中のフレーム画像信号（Ｒフレーム画像信号ＳＲｘ（２））の入力に対応する座標軸は、フレーム画像信号（Ｒフレーム画像信号ＳＲｘ（２））が規定する目標輝度を示す。決定テーブル２２５中の期待値テーブル２２４からの入力に対応する座標軸は、期待値テーブル２２４から抽出された輝度の期待値（即ち、第１走査期間中に達成すると期待される画素の輝度）を示す。第２補正部２１８は、目標輝度と輝度の期待値と、に基づき、画素Ｐ１乃至Ｐ８それぞれに対して、第２補正値を決定し、第２補正値の情報を含む第２補正信号ＣＲｘ（２）を第２選択部２１９へ出力する。
【０１３３】
図１２に示される如く、第２走査期間において、出力部２２１には、Ｒフレーム画像信号ＳＲｘ（２）及び第２補正部２１８によって生成された第２補正信号ＣＲｘ（２）が入力される。
【０１３４】
出力部２２１は、Ｒフレーム画像信号ＳＲｘ（２）が規定する目標輝度と、第２補正信号ＣＲｘ（２）が規定する第２補正値と、を加算し、第２走査期間で用いられる駆動輝度を決定する。第２走査動作が行われる第２走査期間において、出力部２２１は、算出された駆動輝度の情報を含む第２画像信号ＩＲｘ（２）を液晶駆動部２２０へ出力する。
【０１３５】
液晶駆動部２２０は、第２画像信号ＩＲｘ（２）に基づき、液晶パネル２３１の液晶を駆動する。第２画像信号ＩＲｘ（２）に基づく液晶の駆動の結果、画素Ｐ１乃至Ｐ８の輝度は、駆動輝度に向けて変動する。
【０１３６】
（輝度データの変動）
図１８は、第１走査期間に出力される信号が含む輝度のデータを示す。図７、図１３及び図１８を用いて、第１走査期間中の輝度のデータの変化が説明される。図１８中の表は、データ線Ｍに沿って整列した画素の輝度を表す。尚、以下の説明において、第１等価部２１１及び第２等価部２１４は、選択処理を行っている。代替的に、第１等価部２１１及び第２等価部２１４は、平均化処理を行っていてもよい。
【０１３７】
第１等価部２１１に入力されるＸ番目のＲフレーム画像信号ＳＲｘ（２）は、奇数番号のゲート線Ｌ１，Ｌ３，・・・，Ｌ２ｔ−１に対応する画素に対して、「８０」の輝度を示している。また、Ｒフレーム画像信号ＳＲｘ（２）は、偶数番号のゲート線Ｌ２，Ｌ４，・・・，Ｌ２ｔに対応する画素に対して、「６０」の輝度を示している。
【０１３８】
第１等価部２１１は、奇数番号のゲート線Ｌ１，Ｌ３，・・・，Ｌ２ｔ−１に対応する画素の輝度を基準に、図７に関連して説明された選択処理を行い、選択信号ＳＲｘ（１）を生成する。この結果、選択信号ＳＲｘ（１）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素の両方に対して、「８０」の輝度を示す。選択信号ＳＲｘ（１）は、第１選択部２１２及び第１補正部２１７に出力される。第１選択部２１２は、出力部２２１へ選択信号ＳＲｘ（１）を出力する。
【０１３９】
Ｘ番目のＲフレーム画像を表示するための右眼期間の第１走査期間において、第１遅延部２１３は、直前のＸ番目のＬフレーム画像を表示するために左眼期間において取得されたＬフレーム画像信号ＳＬｘ（２）を出力する。Ｌフレーム画像信号ＳＬｘ（２）は、奇数番号のゲート線Ｌ１，Ｌ３，・・・，Ｌ２ｔ−１に対応する画素に対して、「４０」の輝度を示している。また、Ｌフレーム画像信号ＳＬｘ（２）は、偶数番号のゲート線Ｌ２，Ｌ４，・・・，Ｌ２ｔに対応する画素に対して、「０」の輝度を示している。Ｌフレーム画像信号ＳＬｘ（２）は、第２等価部２１４へ入力される。
【０１４０】
第２等価部２１４は、奇数番号のゲート線Ｌ１，Ｌ３，・・・，Ｌ２ｔ−１に対応する画素の輝度を基準に、図７に関連して説明された選択処理を行い、選択信号ＳＬｘ（１）を生成する。この結果、選択信号ＳＬｘ（１）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素の両方に対して、「４０」の輝度を示す。選択信号ＳＬｘ（１）は、第１補正部２１７に出力される。
【０１４１】
図１３に関連して説明された如く、第１補正部２１７は、選択信号ＳＲｘ（１），ＳＬｘ（１）に基づき、第１補正テーブル２２２を用いて、第１補正信号ＣＲｘ（１）を生成する。第１補正部２１７は、選択信号ＳＲｘ（１）が示す現行選択輝度と、選択信号ＳＬｘ（１）が示す先行選択輝度とに基づき、画素それぞれに対して第１補正値を決定する。図１８に示される選択信号ＳＲｘ（１）は、データ線Ｍに沿う全ての画素に対し、「８０」の現行選択輝度を示し、選択信号ＳＬｘ（１）は、データ線Ｍに沿う全ての画素に対し、「４０」の先行選択輝度を示しているので、第１補正部２１７は、データ線Ｍに沿う全ての画素に対し、「５」の第１補正値を定め、第１補正信号ＣＲｘ（１）を生成する。第１補正信号ＣＲｘ（１）は、その後、第２選択部２１９を介して、出力部２２１へ出力される。
【０１４２】
出力部２２１は、選択信号ＳＲｘ（１）が指し示す輝度と、第１補正信号ＣＲｘ（１）が指し示す第１補正値と、を画素それぞれについて加算する。図１８に示される選択信号ＳＲｘ（１）は、データ線Ｍに沿う全ての画素に対し、「８０」の輝度を示し、第１補正信号ＣＲｘ（１）は、データ線Ｍに沿う全ての画素に対し、「５」の第１補正値を示しているので、出力部２２１から出力される第１画像信号ＩＲｘ（１）は、データ線Ｍに沿う全ての画素に対し、「８５」の輝度を規定する。
【０１４３】
図１９は、第２走査期間に出力される信号が含む輝度のデータを示す。図１及び図１９を用いて、第２走査期間中の輝度のデータの変化が説明される。図１９中の表は、データ線Ｍに沿って整列した画素の輝度を表す。尚、以下の説明において、第１等価部２１１及び第２等価部２１４は、選択処理を行っている。代替的に、第１等価部２１１及び第２等価部２１４は、平均化処理を行っていてもよい。
【０１４４】
Ｘ番目のＲフレーム画像信号ＳＲｘ（２）は、第１選択部２１２及び第２補正部２１８に入力される。第１選択部２１２は、第２走査期間に、Ｒフレーム画像信号ＳＲｘ（２）を出力部２２１へ出力する。
【０１４５】
第１走査期間において、第１等価部２１１が出力した選択信号ＳＲｘ（１）は、第２遅延部２１５に入力される。第２遅延部２１５は、選択信号ＳＲｘ（１）を遅延させ、第２走査期間において、選択信号ＳＲｘ（１ｄ）として、出力する。尚、選択信号ＳＲｘ（１）が画素それぞれに規定する輝度及び選択信号ＳＲｘ（１ｄ）が画素それぞれに規定する輝度は等しい。
【０１４６】
第１走査期間において、第２等価部２１４が出力した選択信号ＳＬｘ（１）は、第３遅延部２１６に入力される。第３遅延部２１６は、選択信号ＳＬｘ（１）を遅延させ、第２走査期間において、選択信号ＳＬｘ（１ｄ）として、出力する。尚、選択信号ＳＬｘ（１）が画素それぞれに規定する輝度及び選択信号ＳＬｘ（１ｄ）が画素それぞれに規定する輝度は等しい。
【０１４７】
第２遅延部２１５は、選択信号ＳＲｘ（１ｄ）を第２補正部２１８へ出力する。選択信号ＳＲｘ（１ｄ）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素に対して、「８０」の輝度をそれぞれ示している。
【０１４８】
第３遅延部２１６は、選択信号ＳＬｘ（１ｄ）を第２補正部２１８へ出力する。選択信号ＳＬｘ（１ｄ）は、奇数番号のゲート線Ｌ１，Ｌ３，・・・，Ｌ２ｔ−１に対応する画素及び偶数番号のゲート線Ｌ２，Ｌ４，・・・，Ｌ２ｔに対応する画素に対して、「４０」の輝度をそれぞれ示している。
【０１４９】
上述の如く、第１遅延部２１３は、第２走査期間において、Ｘ番目のＬフレーム画像信号ＳＬｘ（２）を第２補正部２１８に出力する。Ｌフレーム画像信号ＳＬｘ（２）は、奇数番号のゲート線Ｌ１，Ｌ３，・・・，Ｌ２ｔ−１（ｔは自然数）上の画素に対して、「４０」の輝度を規定し、偶数番号のゲート線Ｌ２，Ｌ４，・・・，Ｌ２ｔ（ｔは自然数）上の画素に対して、「０」の輝度を規定している。
【０１５０】
図１４に関連して説明された如く、第２補正部２１８は、第１等価部２１１及び第２等価部２１４が規定した選択輝度、先行するフレーム画像信号が規定する目標輝度並びに画素に位置に基づき、期待値を決定する。Ｌフレーム画像信号ＳＬｘ（２）が偶数番号のゲート線Ｌ２，Ｌ４，・・・，Ｌ２ｔ（ｔは自然数）上の画素に対して規定する輝度は、Ｌフレーム画像信号ＳＬｘ（２）が奇数番号のゲート線Ｌ１，Ｌ３，・・・，Ｌ２ｔ−１（ｔは自然数）上の画素に対して規定する画素を大きく下回るので、偶数番号のゲート線Ｌ２，Ｌ４，・・・，Ｌ２ｔ（ｔは自然数）上の画素が第２走査動作開始時において達成している輝度は、奇数番号のゲート線Ｌ１，Ｌ３，・・・，Ｌ２ｔ−１（ｔは自然数）上の画素が第２走査動作開始時において達成している輝度よりも低いことが予想される。したがって、第２補正部２１８は、奇数番号のゲート線Ｌ１，Ｌ３，・・・，Ｌ２ｔ−１（ｔは自然数）上の画素に対して決定された期待値よりも小さな期待値を偶数番号のゲート線Ｌ２，Ｌ４，・・・，Ｌ２ｔ（ｔは自然数）上の画素に対して決定する。
【０１５１】
また、第２補正部２１８は、図１４に関連して説明された如く、画素の位置に応じた調整を期待値に対して行う。したがって、第２補正部２１８は、液晶パネル２３１の上部に位置する偶数番号のゲート線Ｌ２上の画素に対して「５０」の期待値を設定し、液晶パネル２３１の下部に位置する偶数番号のゲート線Ｌ２ｔ上の画素に対して「６５」の期待値を設定する。尚、本実施形態において、説明の明瞭化のため、第２補正部２１８は、奇数番号のゲート線Ｌ１，Ｌ３，・・・，Ｌ２ｔ−１（ｔは自然数）上の画素全てに対して、「７５」の期待値を設定している。第２補正部２１８は、奇数番号のゲート線Ｌ１，Ｌ３，・・・，Ｌ２ｔ−１（ｔは自然数）上の画素に対しても、画素の位置に応じた調整を行ってもよい。
【０１５２】
上述の如く、Ｒフレーム画像信号ＳＲｘ（２）は、偶数番号のゲート線Ｌ２，Ｌ４，・・・，Ｌ２ｔ（ｔは自然数）上の画素に対して、「６０」の輝度を規定している。また、第２補正部２１８は、液晶パネル２３１の上部に位置する偶数番号のゲート線Ｌ２上の画素に対して「５０」の期待値を設定している。したがって、第２補正部２１８は、「６０」の輝度と「５０」の期待値とを比較し、「＋５」の第２補正値を、液晶パネル２３１の上部に位置する偶数番号のゲート線Ｌ２上の画素に対して決定する。
【０１５３】
上述の如く、第２補正部２１８は、液晶パネル２３１の下部に位置する偶数番号のゲート線Ｌ２ｔ上の画素に対して「６５」の期待値を設定している。したがって、第２補正部２１８は、「６０」の輝度と「６５」の期待値とを比較し、「−５」の第２補正値を、液晶パネル２３１の上部に位置する偶数番号のゲート線Ｌ２上の画素に対して決定する。
【０１５４】
第２補正部２１８は、上述の如く、第２補正値の情報を含む第２補正信号ＣＲｘ（２）を、第２選択部２１９を介して、第２選択部２１９へ出力する。出力部２２１は、Ｒフレーム画像信号ＳＲｘ（２）が指し示す輝度と、第２補正信号ＣＲｘ（２）が指し示す第２補正値と、を画素それぞれについて加算し、第２画像信号ＩＲｘ（２）を生成並びに出力する。生成された第２画像信号ＩＲｘ（２）は、奇数番号のゲート線Ｌ１，Ｌ３，・・・，Ｌ２ｔ−１（ｔは自然数）上の画素全てに対して、「８０」の駆動輝度を規定している。また、第２画像信号ＩＲｘ（２）は、液晶パネル２３１の上部に位置する偶数番号のゲート線Ｌ２上の画素に対して「６５」の駆動輝度を規定している。更に、第２画像信号ＩＲｘ（２）は、液晶パネル２３１の下部に位置する偶数番号のゲート線Ｌ２ｔ上の画素に対して「５５」の駆動輝度を規定している。
【０１５５】
図２０は、図１８及び図１９に関連して説明された信号処理に基づく画素の輝度の変化を表す概略的なタイムチャートである。図１、図７乃至図９、図１８乃至図２０を用いて、画素の輝度変化が説明される。
【０１５６】
図２０のセクション（Ａ）には、Ｘ番目のＬフレーム画像の表示のための左眼期間、Ｘ番目のＲフレーム画像の表示のための右眼期間及び（Ｘ＋１）番目のＬフレーム画像の表示のための左眼期間が示されている。以下の説明において、右眼期間における画素の輝度変化が説明される。
【０１５７】
図２０のセクション（Ｂ）には、第１走査動作及び第２走査動作が示される。右眼期間の第１走査期間において、液晶駆動部２２０は、第１画像信号ＩＲｘ（１）を用いて、第１走査動作を実行する。図９に関連して説明された如く、液晶駆動部２２０は、１つの奇数番号のゲート線に対応する画素と、１つの偶数番号のゲート線に対応する画素の液晶と、を１つの組として、同時に駆動する。この結果、第１画像信号ＩＲｘ（１）は、ゲート線（Ｌ１，Ｌ２）の組、ゲート線（Ｌ３，Ｌ４）の組、・・・・、ゲート線（Ｌ２ｔ−１，Ｌ２５）の組に順次書き込まれる。右眼期間の第２走査期間において、液晶駆動部２２０は、第２画像信号ＩＲｘ（２）を用いて、第２走査動作を実行する。図９に関連して説明された如く、液晶駆動部２２０は、ゲート線Ｌ１，Ｌ２，Ｌ３，Ｌ４，・・・Ｌ２ｔ−１，Ｌ２５に順次、第２画像信号ＩＲｘ（２）を書き込む。本実施形態において、液晶駆動部２２０は、２回の走査動作を行うので、２回目の走査動作を行う液晶駆動部２２０は、画素グループＧ１，Ｇ２，Ｇ３，Ｇ４内の画素に対応する液晶を順次駆動する。液晶駆動部がＮ回の走査動作を行うならば、Ｎ回目の走査動作を行う液晶駆動部は、画素グループ内の画素に対応する液晶を順次駆動してもよい。
【０１５８】
図２０のセクション（Ｃ）は、光学シャッタ部３１０の開閉動作を示す。左眼シャッタ３１１は、第２走査動作の完了後、且つ、右眼期間が開始される前までの期間において開く。また、右眼シャッタ３１２は、第２走査動作の完了後、且つ、左眼期間が開始される前までの期間において開く。
【０１５９】
図２０のセクション（Ｄ）は、ゲート線Ｌ１とデータ線Ｍとの交点に位置する画素の輝度の変化を表す。図２０のセクション（Ｅ）は、液晶パネル２３１の上部に位置する偶数番号のゲート線Ｌ２とデータ線Ｍとの交点に位置する画素の輝度の変化を表す。図２０のセクション（Ｆ）は、液晶パネル２３１の下部に位置する偶数番号のゲート線Ｌ２ｔとデータ線Ｍとの交点に位置する画素の輝度の変化を表す。
【０１６０】
図１８及び図１９に関連して説明された如く、直前の左眼期間においてＬフレーム画像の表示に用いられたＬフレーム画像信号ＳＬｘ（２）は、奇数番号のゲート線Ｌ１，Ｌ３，・・・，Ｌ２ｔ−１に対応する画素に対して、「４０」の目標輝度を規定している。したがって、セクション（Ｄ）に示される画素の輝度は、「４０」から変動を開始する。Ｌフレーム画像信号ＳＬｘ（２）は、偶数番号のゲート線Ｌ２，Ｌ４，・・・，Ｌ２ｔに対応する画素に対して、「０」の目標輝度を規定している。したがって、セクション（Ｅ）及びセクション（Ｆ）に示される画素の輝度は、「０」からそれぞれ変動を開始する。
【０１６１】
図１８に関連して説明された如く、第１画像信号ＩＲｘ（１）は、データ線Ｍに沿う画素全てに対して、「８５」の駆動輝度を設定する。したがって、第１走査動作がなされると、データ線Ｍに沿う画素の輝度は、「８５」の駆動輝度に向けて、変動を開始する。
【０１６２】
第１走査動作の結果、第２走査動作が開始される直前には、奇数番号のゲート線Ｌ１，Ｌ３，・・・，Ｌ２ｔ−１に対応する画素の輝度は、第２補正部２１８の決定テーブル２２５を用いて決定された「７５」の輝度の期待値に到達する、或いは、「７５」の輝度の期待値に近似する。第１走査動作の結果、液晶パネル２３１の上部に位置する偶数番号のゲート線Ｌ２上の画素は、第２走査動作が開始されるとき、「５０」の駆動輝度を達成している。一方、液晶パネル２３１の下部に位置する偶数番号のゲート線Ｌ２ｔ上の画素に対応する液晶は、液晶パネル２３１の上部に位置する偶数番号のゲート線Ｌ２上の画素に対応する液晶よりも長い期間に亘って「８５」の駆動輝度に向けて駆動されるので、液晶パネル２３１の下部に位置する偶数番号のゲート線Ｌ２ｔ上の画素は、第２走査動作が開始されるとき、「６５」の駆動輝度を達成している。
【０１６３】
図２０に関連して説明された如く、第２画像信号ＩＲｘ（２）は、奇数番号のゲート線Ｌ１，Ｌ３，・・・，Ｌ２ｔ−１に対応する画素に対して、「８０」の駆動輝度を設定する。したがって、第２走査動作がなされると、奇数番号のゲート線Ｌ１，Ｌ３，・・・，Ｌ２ｔ−１に対応する画素は、「８０」の駆動輝度に向けて、変動を開始する。上述の如く、奇数番号のゲート線Ｌ１，Ｌ３，・・・，Ｌ２ｔ−１に対応する画素の輝度は、第１走査動作の結果、Ｒフレーム画像信号ＳＲｘ（２）が規定する目標輝度に十分に近づけられているので、右眼シャッタ３１２が開かれるときには、目標輝度に到達している。
【０１６４】
第２画像信号ＩＲｘ（２）は、液晶パネル２３１の上部に位置する偶数番号のゲート線Ｌ２上の画素に対して「６５」の駆動輝度を規定しているので、液晶パネル２３１の上部に位置する偶数番号のゲート線Ｌ２上の画素は、第２走査期間において、輝度を増大させる。この結果、液晶パネル２３１の上部に位置する偶数番号のゲート線Ｌ２上の画素は、Ｒフレーム画像信号ＳＲｘ（２）が規定する目標輝度「６０」に近づく。
【０１６５】
第２画像信号ＩＲｘ（２）は、液晶パネル２３１の下部に位置する偶数番号のゲート線Ｌ２ｔ上の画素に対して「５５」の駆動輝度を規定しているので、液晶パネル２３１の下部に位置する偶数番号のゲート線Ｌ２ｔ上の画素は、第２走査期間において、輝度を減少させる。この結果、液晶パネル２３１の下部に位置する偶数番号のゲート線Ｌ２ｔ上の画素は、Ｒフレーム画像信号ＳＲｘ（２）が規定する目標輝度「６０」に近づく。
【０１６６】
＜第２実施形態＞
図２１は、第２実施形態に係る映像視聴システムの構成を概略的に示すブロック図である。図２１を用いて、第２実施形態に係る映像視聴システムの概略的な構成が説明される。尚、第１実施形態に関連して説明された要素と同様の要素に対しては、同様の符号が付されている。以下の説明において、第１実施形態との相違点が主に説明される。第１実施形態と同様の特徴に対して、第１実施形態に関連する説明が援用される。
【０１６７】
（映像視聴システム）
映像視聴システム１００Ａは、第１実施形態に関連して説明された眼鏡装置３００に加えて、表示装置２００Ａを備える。表示装置２００Ａは、第１実施形態に関連して説明された表示装置２００と同様に、Ｌフレーム画像とＲフレーム画像とを交互に表示する。
【０１６８】
表示装置２００Ａは、第１実施形態に関連して説明された表示部２３０、第１制御部２５０、第２制御部２４０に加えて、映像信号処理部２１０Ａ及び液晶駆動部２２０Ａを備える。
【０１６９】
第１実施形態に関連して説明された映像信号処理部２１０と同様に、映像信号処理部２１０Ａには、基本となる垂直同期周波数を有する映像信号（左眼用映像信号及び右眼用映像信号）が入力される。映像信号処理部２１０Ａから第１制御部２５０及び第２制御部２４０への制御信号の出力処理は、第１実施形態に関連して説明された信号処理と同様である。
【０１７０】
第１実施形態に関連して説明された映像信号処理部２１０と異なり、映像信号処理部２１０Ａは、第１画像信号、第２画像信号及び第３画像信号を液晶駆動部２２０Ａに順次出力する。液晶駆動部２２０Ａは、第１画像信号、第２画像信号及び第３画像信号を液晶パネル２３１の表示面に亘って順次走査する。以下の説明において、第１画像信号を用いた液晶駆動部２２０Ａの走査動作は、第１走査動作と称される。第２画像信号を用いた液晶駆動部２２０Ａの走査動作は、第２走査動作と称される。第３画像信号を用いた液晶駆動部２２０Ａの走査動作は、第３走査動作と称される。また、液晶駆動部２２０Ａが第１走査動作を行っている期間は、第１走査期間と称される。液晶駆動部２２０Ａが第２走査動作を行っている期間は、第２走査期間と称される。液晶駆動部２２０Ａが第３走査動作を行っている期間は、第３走査期間と称される。
【０１７１】
（映像信号処理部）
図２２は、本実施形態に従う表示装置２００Ａの映像信号処理部２１０Ａの機能構成を概略的に示すブロック図である。図２１及び図２２を用いて、映像信号処理部２１０Ａが説明される。
【０１７２】
映像信号処理部２１０Ａは、第１実施形態に関連して説明された第１遅延部２１３及び第１補正部２１７に加えて、第１等価部２１１Ａ、第１選択部２１２Ａ、第２等価部２１４Ａ、第２遅延部２１５Ａ、第３遅延部２１６Ａ、第２補正部２１８Ａ、第２選択部２１９Ａ及び出力部２２１Ａを備える。
【０１７３】
図２３は、第１等価部２１１Ａの概略的なブロック図である。図２４は、第２等価部２１４Ａの概略的なブロック図である。図５、図７、図２２乃至図２４を用いて、第１等価部２１１Ａ及び第２等価部２１４Ａが説明される。
【０１７４】
図２３に示される如く、第１等価部２１１Ａには、フレーム画像信号が入力される。図２３において、フレーム画像信号として、Ｘ番目のＲフレーム画像信号ＳＲｘ（３）が第１等価部２１１Ａに入力されている。
【０１７５】
第１等価部２１１Ａは、等価演算部２６１とカウンタ２６２とを備える。Ｒフレーム画像信号ＳＲｘ（３）は、等価演算部２６１に入力される。等価演算部２６１は、図５及び図７に関連して説明された平均化処理又は選択処理を実行する。カウンタ２６２は、等価演算部２６１の演算回数をカウントする。
【０１７６】
図２４に示される如く、第２等価部２１４Ａには、フレーム画像信号が入力される。図２４において、フレーム画像信号として、Ｘ番目のＬフレーム画像信号ＳＬｘ（３）が第２等価部２１４Ａに入力されている。
【０１７７】
第１遅延部２１３は、第１実施形態に関連して説明された如く、Ｘ番目のＲフレーム画像信号ＳＲｘ（３）に先行するＸ番目のＬフレーム画像信号ＳＬｘ（３）を保持している。図２４に示される如く、Ｘ番目のＲフレーム画像を表示するための第１走査期間において、第１遅延部２１３は、第２等価部２１４Ａに、Ｌフレーム画像信号ＳＬｘ（３）を出力する。
【０１７８】
第２等価部２１４Ａは、等価演算部２６３とカウンタ２６４とを備える。Ｒフレーム画像信号ＳＲｘ（３）は、等価演算部２６３に入力される。等価演算部２６３は、図５及び図７に関連して説明された平均化処理又は選択処理を実行する。カウンタ２６４は、等価演算部２６３の演算回数をカウントする。
【０１７９】
図２５は、第１等価部２１１Ａ及び第２等価部２１４Ａが行う等価処理の概念図である。図５、図７、図２２乃至図２５を用いて、第１等価部２１１Ａ及び第２等価部２１４Ａが行う等価処理が説明される。
【０１８０】
図２５には、データ線Ｍ１上に整列する画素Ｐ１乃至Ｐ４が示されている。画素Ｐ１は、ゲート線Ｌ１とデータ線Ｍ１との交点に位置する。画素Ｐ２は、ゲート線Ｌ２とデータ線Ｍ１との交点に位置する。画素Ｐ３は、ゲート線Ｌ３とデータ線Ｍ１との交点に位置する。画素Ｐ４は、ゲート線Ｌ４とデータ線Ｍ１との交点に位置する。
【０１８１】
カウンタ２６２，２６４のデフォルト値は、例えば、「０」に設定されている。等価演算部２６１，２６３は、カウンタ２６２，２６４のカウント値を参照し、カウント値が「０」ならば、副走査方向に整列した４つの画素Ｐ１乃至Ｐ４を含む画素グループＧ１１を設定する。その後、等価演算部２６１は、設定された画素グループＧ１１内の画素Ｐ１乃至Ｐ４に対してＲフレーム画像信号ＳＲｘ（３）がそれぞれ規定する輝度に対して、等価処理を行う。また、等価演算部２６３は、設定された画素グループＧ１１内の画素Ｐ１乃至Ｐ４に対してＬフレーム画像信号ＳＬｘ（３）がそれぞれ規定する輝度に対して、等価処理を行う。尚、等価処理は、図５及び図７に関連して説明された平均化処理又は選択処理の原理に従う。
【０１８２】
等価演算部２６１は、画素グループＧ１１に対して行った等価処理に基づき、第１走査期間に用いられる平均化信号又は選択信号を出力する。図２３には、等価演算部２６１から出力された選択信号ＳＲｘ（１）が示されている。
【０１８３】
等価演算部２６３は、画素グループＧ１１に対して行った等価処理に基づき、第１走査期間に用いられる平均化信号又は選択信号を出力する。図２４には、等価演算部２６１から出力された選択信号ＳＬｘ（１）が示されている。
【０１８４】
カウンタ２６２，２６４は、等価演算部２６１，２６３が画素グループＧ１１に対する等価処理を終えると、カウント値を「０」から「１」に繰り上げる。
【０１８５】
等価演算部２６１，２６３は、カウンタ２６２，２６４のカウント値を参照し、カウント値が「１」ならば、副走査方向に整列した２つの画素Ｐ１及びＰ２を含む画素グループＧ２１及び副走査方向に整列した２つの画素Ｐ３及びＰ４を含む画素グループＧ２２を設定する。その後、等価演算部２６１は、設定された画素グループＧ２１内の画素Ｐ１及びＰ２に対してＲフレーム画像信号ＳＲｘ（３）がそれぞれ規定する輝度に対して、等価処理を行う。また、等価演算部２６１は、設定された画素グループＧ２２内の画素Ｐ３及びＰ４に対してＲフレーム画像信号ＳＲｘ（３）がそれぞれ規定する輝度に対して、等価処理を行う。等価演算部２６３は、設定された画素グループＧ２１内の画素Ｐ１及びＰ２に対してＬフレーム画像信号ＳＬｘ（３）がそれぞれ規定する輝度に対して、等価処理を行う。また、等価演算部２６３は、設定された画素グループＧ２２内の画素Ｐ３及びＰ４に対してＬフレーム画像信号ＳＬｘ（３）がそれぞれ規定する輝度に対して、等価処理を行う。尚、等価処理は、図５及び図７に関連して説明された平均化処理又は選択処理の原理に従う。
【０１８６】
等価演算部２６１は、画素グループＧ２１，Ｇ２２に対して行った等価処理に基づき、第２走査期間に用いられる平均化信号又は選択信号を出力する。図２３には、等価演算部２６１から出力された選択信号ＳＲｘ（２）が示されている。
【０１８７】
等価演算部２６３は、画素グループＧ２１，Ｇ２２に対して行った等価処理に基づき、第２走査期間に用いられる平均化信号又は選択信号を出力する。図２４には、等価演算部２６１から出力された選択信号ＳＬｘ（２）が示されている。
【０１８８】
カウンタ２６２，２６４は、等価演算部２６１，２６３が画素グループＧ２１，Ｇ２２に対する等価処理を終えると、カウント値を「１」から「０」に繰り下げる。
【０１８９】
図２２乃至図２４を用いて、第１選択部２１２Ａ，第２遅延部２１５Ａ及び第３遅延部２１６Ａが説明される。以下の説明において、第１等価部２１１Ａ及び第２等価部２１４Ａはともに、等価処理として、選択処理を行い、選択信号ＳＲｘ（１），ＳＲｘ（２），ＳＬｘ（１），ＳＬｘ（２）を出力している。代替的に、第１等価部２１１Ａ及び第２等価部２１４Ａはともに、等価処理として、平均化処理を行い、平均化信号を出力してもよい。
【０１９０】
図２３に示される如く、第１選択部２１２Ａには、Ｒフレーム画像信号ＳＲｘ（３）が入力される。また、第１選択部２１２Ａには、第１等価部２１１Ａから選択信号ＳＲｘ（１），ＳＲｘ（２）が順次入力される。第１選択部２１２Ａは、第１走査期間において、選択信号ＳＲｘ（１）を出力する。第１走査期間に後続する第２走査期間において、第１選択部２１２Ａは、選択信号ＳＲｘ（２）を出力する。第２走査期間に後続する第３走査期間において、第１選択部２１２Ａは、Ｒフレーム画像信号ＳＲｘ（３）を出力する。かくして、第１選択部２１２Ａは、選択信号ＳＲｘ（１），ＳＲｘ（２）及びＲフレーム画像信号ＳＲｘ（３）を、走査期間に応じて、順次、出力部２２１Ａに出力することができる。
【０１９１】
第２遅延部２１５Ａには、第１等価部２１１Ａから選択信号ＳＲｘ（１），ＳＲｘ（２）が順次入力される。第２遅延部２１５Ａは、選択信号ＳＲｘ（１），ＳＲｘ（２）を所定期間保持する。第２遅延部２１５Ａは、第１走査期間に後続する第２走査期間において、選択信号ＳＲｘ（１ｄ）を第２補正部２１８Ａに出力する。第２遅延部２１５Ａは、第２走査期間に後続する第３走査期間において、選択信号ＳＲｘ（２ｄ）を第２補正部２１８Ａに出力する。尚、選択信号ＳＲｘ（１ｄ）が保持する輝度データは、選択信号ＳＲｘ（１）が保持する輝度データと等しい。また、選択信号ＳＲｘ（２ｄ）が保持する輝度データは、選択信号ＳＲｘ（２）が保持する輝度データと等しい。
【０１９２】
第３遅延部２１６Ａには、第２等価部２１４Ａから選択信号ＳＬｘ（１），ＳＬｘ（２）が順次入力される。第３遅延部２１６Ａは、選択信号ＳＬｘ（１），ＳＬｘ（２）を所定期間保持する。第３遅延部２１６Ａは、第１走査期間に後続する第２走査期間において、選択信号ＳＬｘ（１）を第２補正部２１８Ａに出力する。第３遅延部２１６Ａは、第２走査期間に後続する第３走査期間において、選択信号ＳＬｘ（２）を第２補正部２１８Ａに出力する。尚、選択信号ＳＬｘ（１ｄ）が保持する輝度データは、選択信号ＳＬｘ（１）が保持する輝度データと等しい。また、選択信号ＳＬｘ（２ｄ）が保持する輝度データは、選択信号ＳＬｘ（２）が保持する輝度データと等しい。
【０１９３】
図１３、図２２乃至図２５を用いて、第１補正部２１７が説明される。
【０１９４】
第１等価部２１１Ａの等価演算部２６１は、選択信号ＳＲｘ（１）を第１補正部２１７に出力する一方で、選択信号ＳＲｘ（２）を第１補正部２１７に出力しない。同様に、第２等価部２１４Ａの等価演算部２６３は、選択信号ＳＬｘ（１）を第１補正部２１７に出力する一方で、選択信号ＳＬｘ（２）を第１補正部２１７に出力しない。等価演算部２６１，２６３の信号出力の切り替えは、例えば、カウンタ２６２，２６４のカウント値に基づくものであってもよい。
【０１９５】
第１補正部２１７は、図１３に関連して説明された原理に従って、選択信号ＳＲｘ（１），ＳＬｘ（１）に基づいて、画素グループＧ１１内の画素に共通する駆動輝度（等価輝度）を決定する。その後、第１補正部２１７は、第１補正信号ＣＲｘ（１）を出力する。
【０１９６】
図２２乃至図２５を用いて、第２補正部２１７が説明される。
【０１９７】
第１等価部２１１Ａの等価演算部２６１は、選択信号ＳＲｘ（２）を第２補正部２１８Ａに出力する一方で、選択信号ＳＲｘ（１）を第２補正部２１８Ａに出力しない。同様に、第２等価部２１４Ａの等価演算部２６３は、選択信号ＳＬｘ（２）を第２補正部２１８Ａに出力する一方で、選択信号ＳＬｘ（１）を第２補正部２１８Ａに出力しない。等価演算部２６１，２６３の信号出力の切り替えは、例えば、カウンタ２６２，２６４のカウント値に基づくものであってもよい。
【０１９８】
図２６及び図２７は、第２補正部２１８Ａが格納する第２補正テーブルの概念図である。図２６は、第２走査期間における第２補正テーブルを示す。図２７は、第３走査期間における第２補正テーブルを示す。図１４、図２２乃至図２４並びに図２６及び図２７を用いて、第２補正部２１８Ａが説明される。尚、以下の説明において、第１等価部２１１Ａ及び第２等価部２１４Ａは、選択処理を行っている。代替的に、第１等価部２１１Ａ及び第２等価部２１４Ａは、平均化処理を行っていてもよい。
【０１９９】
第２補正部２１８Ａは、第２補正信号を生成するための第２補正テーブル２２３Ａを格納する。第２補正テーブル２２３Ａは、第２走査動作及び第３走査動作が開始されるときに画素が達成している輝度に対する期待値をそれぞれ決定するための期待値テーブル２２４Ａと、期待値とフレーム画像信号とに基づき、第２走査が行われるときの駆動輝度を決定するための決定テーブル２２５Ａと、を含む。
【０２００】
期待値テーブル２２４Ａは、第１実施形態と同様の調整テーブル２２７に加えて、入力テーブル２２６Ａを含む。第２補正部２１８Ａは、カウンタ２６５を備える。入力テーブル２２６Ａ及び決定テーブル２２５Ａは、カウンタ２６５のカウント値に基づき、座標軸の切り替えを行う。
【０２０１】
カウンタ２６５のデフォルト値は、例えば、「０」に設定される。したがって、第２走査期間に出力される第２補正信号ＣＲｘ（２）が生成されるときのカウンタ２６５のカウント値は、「０」に設定される。
【０２０２】
第２補正部２１８Ａは、カウンタ２６５のカウント値が「０」であるとき、３次元マトリックス状の構成された入力テーブル２２６Ａの第１座標軸ＡＸ１を第２等価部２１４Ａから直接的に入力された選択信号ＳＬｘ（２）に対応させる。また、第２補正部２１８Ａは、入力テーブル２２６Ａの第２座標軸ＡＸ２を第２遅延部２１５Ａから出力された選択信号ＳＲｘ（１ｄ）に対応させる。更に、第２補正部２１８Ａは、入力テーブル２２６Ａの第３座標軸ＡＸ３を第３遅延部２１６Ａから出力された選択信号ＳＬｘ（１ｄ）に対応させる。
【０２０３】
第２補正部２１８Ａは、図１４に関連して説明された原理に従って、入力テーブル２２６Ａを用いて、仮期待値を決定する。その後、第２補正部２１８Ａは、調整テーブル２２７を用いて、仮期待値を画素の位置に応じて調整し、期待値を決定する。
【０２０４】
第２走査期間において、決定テーブル２２５Ａは、第１座標軸ＢＸ１と第２座標軸ＢＸ２とを備える。第１座標軸ＢＸ１は、専ら、期待値テーブル２２４Ａを用いて決定された期待値に対応する。
【０２０５】
第２補正部２１８Ａは、カウンタ２６５のカウント値が「０」であるとき、決定テーブル２２５Ａの第２座標軸ＢＸ２を第１等価部２１１Ａから直接的に出力された選択信号ＳＲｘ（２）に対応させる。第２補正部２１８Ａは、図１４に関連して説明された原理に従って、決定テーブル２２５Ａを用いて、第２補正値を決定し、第２補正信号ＣＲｘ（２）を出力する。
【０２０６】
カウンタ２６５は、第２補正部２１８Ａが第２補正信号ＣＲｘ（２）を出力すると、カウント値を「０」から「１」に繰り上げる。
【０２０７】
入力テーブル２２６Ａの第２座標軸ＡＸ２及び第３座標軸ＡＸ３は、専ら、第２遅延部２１５Ａ及び第３遅延部２１６Ａからの出力それぞれに対応する。したがって、カウンタ２６５のカウント値が「１」であるとき（即ち、第３走査期間において）、第２座標軸ＡＸ２には、選択信号ＳＲｘ（１ｄ）に続いて、選択信号ＳＲｘ（２ｄ）が入力される。また、第３座標軸ＡＸ３には、選択信号ＳＬｘ（１ｄ）に続いて、選択信号ＳＬｘ（２ｄ）が入力される。更に第２座標軸ＡＸ２は、前回入力された選択信号ＳＲｘ（１ｄ）のデータを保持する。また、第３座標軸ＡＸ３は、前回入力された選択信号ＳＬｘ（１ｄ）を保持する。
【０２０８】
第２補正部２１８Ａは、カウンタ２６５のカウント値が「１」であるとき、入力テーブル２２６Ａの第１座標軸ＡＸ１を切り替え、第１遅延部２１３から出力されたＬフレーム画像信号ＳＬｘ（３）に対応させる。第２補正部２１８Ａは、図１４に関連して説明された原理に従って、入力テーブル２２６Ａを用いて、仮期待値を決定する。その後、第２補正部２１８Ａは、調整テーブル２２７を用いて、仮期待値を画素の位置に応じて調整し、期待値を決定する。
【０２０９】
第２補正部２１８Ａは、カウンタ２６５のカウント値が「１」であるとき、決定テーブル２２５Ａの第２座標軸ＢＸ２を切り替え、Ｒフレーム画像信号ＳＲｘ（３）に対応させる。第２補正部２１８Ａは、図１４に関連して説明された原理に従い、決定テーブル２２５Ａを用いて、第２補正値を決定し、第３補正信号ＣＲｘ（３）を出力する。
【０２１０】
図２１乃至図２４を用いて、第１選択部２１２Ａ、第２選択部２１９Ａ及び出力部２２１Ａが説明される。
【０２１１】
第１選択部２１２Ａには、第１等価部２１１Ａから出力された選択信号ＳＲｘ（１），ＳＲｘ（２）及びＲフレーム画像信号ＳＲｘ（３）が入力される。第１選択部２１２Ａは、第１走査期間に、選択信号ＳＲｘ（１）を出力部２２１Ａに出力する。第１選択部２１２Ａは、第２走査期間に、選択信号ＳＲｘ（２）を出力部２２１Ａに出力する。第１選択部２１２Ａは、第３走査期間に、Ｒフレーム画像信号ＳＲｘ（３）を出力部２２１Ａ出力する。
【０２１２】
第２選択部２１９Ａには、第１補正部２１７から出力された第１補正信号ＣＲｘ（１）並びに第２補正部２１８Ａから出力された第２補正信号ＣＲｘ（２）及び第３補正信号ＣＲｘ（３）が入力される。第２選択部２１９Ａは、第１走査期間に第１補正信号ＣＲｘ（１）を出力部２２１Ａに出力する。第２選択部２１９Ａは、第２走査期間に第２補正信号ＣＲｘ（２）を出力部２２１Ａに出力する。第２選択部２１９Ａは、第３走査期間に第３補正信号ＣＲｘ（３）を出力部２２１Ａに出力する。
【０２１３】
出力部２２１Ａは、第１走査期間において、第１選択部２１２Ａから出力された選択信号ＳＲｘ（１）の輝度データと第１補正信号ＣＲｘ（１）の補正データとを加算し、第１画像信号を生成する。第１画像信号は、液晶駆動部２２０Ａに出力される。
【０２１４】
出力部２２１Ａは、第２走査期間において、第１選択部２１２Ａから出力された選択信号ＳＲｘ（２）の輝度データと第２補正信号ＣＲｘ（２）の補正データとを加算し、第２画像信号を生成する。第２画像信号は、液晶駆動部２２０Ａに出力される。
【０２１５】
出力部２２１Ａは、第３走査期間において、第１選択部２１２Ａから出力されたＲフレーム画像信号ＳＲｘ（３）の輝度データと第３補正信号ＣＲｘ（３）の補正データとを加算し、第３画像信号を生成する。第３画像信号は、液晶駆動部２２０Ａに出力される。
【０２１６】
液晶駆動部２２０Ａは、第１走査期間において、第１画像信号を走査する。液晶駆動部２２０Ａは、第２走査期間において、第２画像信号を走査する。液晶駆動部２２０Ａは、第３走査期間において、第３画像信号を走査する。かくして、Ｒフレーム画像信号ＳＲｘ（３）に対応して、３回の走査動作が行われる。
【０２１７】
（輝度データ）
図２８は、第１等価部２１１Ａによる選択処理による輝度データの変化を例示する。図２９は、第２等価部２１４Ａによる選択処理による輝度データの変化を例示する。図２２乃至図２４並びに図２８及び図２９を用いて、輝度データの変化が説明される。
【０２１８】
図２８及び図２９には、データ線Ｍ１上に整列する画素Ｐ１乃至Ｐ４が示されている。画素Ｐ１は、ゲート線Ｌ１とデータ線Ｍ１との交点に位置する。画素Ｐ２は、ゲート線Ｌ２とデータ線Ｍ１との交点に位置する。画素Ｐ３は、ゲート線Ｌ３とデータ線Ｍ１との交点に位置する。画素Ｐ４は、ゲート線Ｌ４とデータ線Ｍ１との交点に位置する。
【０２１９】
図２８に示される如く、Ｘ番目のＲフレーム画像信号ＳＲｘ（３）は、画素Ｐ１に対して、「８０」の輝度を規定している。Ｒフレーム画像信号ＳＲｘ（３）は、画素Ｐ２に対して、「７０」の輝度を規定している。Ｒフレーム画像信号ＳＲｘ（３）は、画素Ｐ３に対して、「６０」の輝度を規定している。Ｒフレーム画像信号ＳＲｘ（３）は、画素Ｐ４に対して、「５０」の輝度を規定している。
【０２２０】
第１等価部２１１Ａは、画素Ｐ１乃至画素Ｐ４を含む画素グループＧ１１を設定する。第１等価部２１１Ａは、Ｒフレーム画像信号ＳＲｘ（３）が画素Ｐ１に対して規定した「８０」の輝度を選択し、画素グループＧ１１中の画素Ｐ１乃至Ｐ４全てに対して「８０」の輝度を設定する。この結果、第１等価部２１１Ａは、画素グループＧ１１内の画素Ｐ１乃至Ｐ４に対して「８０」の輝度を規定する選択信号ＳＲｘ（１）を出力する。
【０２２１】
第１等価部２１１Ａは、画素Ｐ１及び画素Ｐ２を含む画素グループＧ２１を設定する。第１等価部２１１Ａは、Ｒフレーム画像信号ＳＲｘ（３）が画素Ｐ１に対して規定した「８０」の輝度を選択し、画素グループＧ２１中の画素Ｐ１及び画素Ｐ２に対して「８０」の輝度を設定する。第１等価部２１１Ａは、画素Ｐ３及び画素Ｐ４を含む画素グループＧ２２を設定する。第１等価部２１１Ａは、Ｒフレーム画像信号ＳＲｘ（３）が画素Ｐ３に対して規定した「６０」の輝度を選択し、画素グループＧ２２中の画素Ｐ３及び画素Ｐ４に対して「６０」の輝度を設定する。この結果、第１等価部２１１Ａは、画素グループＧ２１内の画素Ｐ１，Ｐ２に対して「８０」の輝度を規定し、画素グループＧ２２内の画素Ｐ３，Ｐ４に対して「６０」の輝度を規定する選択信号ＳＲｘ（２）を出力する。
【０２２２】
図２９に示される如く、Ｘ番目のＬフレーム画像信号ＳＬｘ（３）は、画素Ｐ１に対して、「３０」の輝度を規定している。Ｌフレーム画像信号ＳＬｘ（３）は、画素Ｐ２に対して、「４０」の輝度を規定している。Ｌフレーム画像信号ＳＬｘ（３）は、画素Ｐ３に対して、「７０」の輝度を規定している。Ｌフレーム画像信号ＳＬｘ（３）は、画素Ｐ４に対して、「８０」の輝度を規定している。
【０２２３】
第２等価部２１４Ａは、画素Ｐ１乃至画素Ｐ４を含む画素グループＧ１１を設定する。第２等価部２１４Ａは、Ｌフレーム画像信号ＳＬｘ（３）が画素Ｐ１に対して規定した「３０」の輝度を選択し、画素グループＧ１１中の画素Ｐ１乃至Ｐ４全てに対して「３０」の輝度を設定する。この結果、第２等価部２１４Ａは、画素グループＧ１１内の画素Ｐ１乃至Ｐ４に対して「３０」の輝度を規定する選択信号ＳＬｘ（１）を出力する。
【０２２４】
第２等価部２１４Ａは、画素Ｐ１及び画素Ｐ２を含む画素グループＧ２１を設定する。第２等価部２１４Ａは、Ｌフレーム画像信号ＳＬｘ（３）が画素Ｐ１に対して規定した「３０」の輝度を選択し、画素グループＧ２１中の画素Ｐ１及び画素Ｐ２に対して「３０」の輝度を設定する。第２等価部２１４Ａは、画素Ｐ３及び画素Ｐ４を含む画素グループＧ２２を設定する。第２等価部２１４Ａは、Ｌフレーム画像信号ＳＬｘ（３）が画素Ｐ３に対して規定した「７０」の輝度を選択し、画素グループＧ２２中の画素Ｐ３及び画素Ｐ４に対して「７０」の輝度を設定する。この結果、第１等価部２１１Ａは、画素グループＧ２１内の画素Ｐ１，Ｐ２に対して「３０」の輝度を規定し、画素グループＧ２２内の画素Ｐ３，Ｐ４に対して「７０」の輝度を規定する選択信号ＳＲｘ（２）を出力する。
【０２２５】
図３０は、第１補正部２１７中の輝度変化を示す。図２２乃至図２４並びに図３０を用いて、第１補正部２１７中の輝度変化が説明される。
【０２２６】
図３０には、データ線Ｍ１上に整列する画素Ｐ１乃至Ｐ４が示されている。画素Ｐ１は、ゲート線Ｌ１とデータ線Ｍ１との交点に位置する。画素Ｐ２は、ゲート線Ｌ２とデータ線Ｍ１との交点に位置する。画素Ｐ３は、ゲート線Ｌ３とデータ線Ｍ１との交点に位置する。画素Ｐ４は、ゲート線Ｌ４とデータ線Ｍ１との交点に位置する。
【０２２７】
第１補正部２１７は、第１等価部２１１Ａが出力した選択信号ＳＲｘ（１）と第２等価部２１４Ａが出力した選択信号ＳＬｘ（１）とを比較する。上述の如く、選択信号ＳＲｘ（１）が画素グループＧ１１内の画素Ｐ１乃至Ｐ４に規定する輝度は「８０」であり、選択信号ＳＬｘ（１）が画素グループＧ１１内の画素Ｐ１乃至Ｐ４に規定する輝度は「３０」であるので、第１補正部２１７は、例えば、「１０」の第１補正値を決定し、画素グループＧ１１内の画素Ｐ１乃至Ｐ４に対して「１０」の第１補正値を規定する第１補正信号ＣＲｘ（１）を出力する。
【０２２８】
出力部２２１Ａは、第１選択部２１２Ａから出力された選択信号ＳＲｘ（１）が規定する輝度データと、第２選択部２１９Ａから出力された第１補正信号ＣＲｘ（１）が規定する第１補正値のデータとを加算する。上述の如く、選択信号ＳＲｘ（１）が画素グループＧ１１内の画素Ｐ１乃至Ｐ４に規定する輝度は「８０」であり、第１補正信号ＣＲｘ（１）が画素グループＧ１１内の画素Ｐ１乃至Ｐ４に対して規定する第１補正値は「１０」であるので、出力部２２１Ａは、画素グループＧ１１内の画素Ｐ１乃至Ｐ４に対して「９０」の駆動輝度（等価輝度）を規定する第１画像信号ＩＲｘ（１）を出力する。
【０２２９】
図３１は、第２走査期間における期待値の算出工程の概念図である。図２６及び図３１を用いて、第２走査期間における期待値の算出工程が説明される。
【０２３０】
図３１には、データ線Ｍ１上に整列する画素Ｐ１乃至Ｐ４が示されている。画素Ｐ１は、ゲート線Ｌ１とデータ線Ｍ１との交点に位置する。画素Ｐ２は、ゲート線Ｌ２とデータ線Ｍ１との交点に位置する。画素Ｐ３は、ゲート線Ｌ３とデータ線Ｍ１との交点に位置する。画素Ｐ４は、ゲート線Ｌ４とデータ線Ｍ１との交点に位置する。
【０２３１】
第２走査期間において、第２補正部２１８Ａの入力テーブル２２６Ａには、第２遅延部２１５Ａから出力された選択信号ＳＲｘ（１ｄ）、第３遅延部２１６Ａから出力された選択信号ＳＬｘ（１ｄ）及び第２等価部２１４Ａから出力された選択信号ＳＬｘ（２）が入力される。上述の如く、選択信号ＳＲｘ（１ｄ）の輝度データは、選択信号ＳＲｘ（１）の輝度データと等しいので、選択信号ＳＲｘ（１ｄ）は、画素Ｐ１乃至Ｐ４に対して、「８０」の輝度を規定している。また、選択信号ＳＬｘ（１ｄ）の輝度データは、選択信号ＳＬｘ（１）の輝度データと等しいので、選択信号ＳＬｘ（１ｄ）は、画素Ｐ１乃至Ｐ４に対して、「３０」の輝度を規定している。上述の如く、第２等価部２１４Ａから出力された選択信号ＳＬｘ（２）は、画素グループＧ２１に含まれる画素Ｐ１，Ｐ２に対して、「３０」の輝度を規定する。また、選択信号ＳＬｘ（２）は、画素グループＧ２２に含まれる画素Ｐ３，Ｐ４に対して、「７０」の輝度を規定する。
【０２３２】
第２補正部２１８Ａは、選択信号ＳＬｘ（２）の輝度データに基づき、画素グループＧ２１内の画素Ｐ１，Ｐ２は、第１走査期間開始時において「３０」の輝度を有すると判定する。また、選択信号ＳＲｘ（１ｄ），ＳＬｘ（１ｄ）間の画素Ｐ１，Ｐ２の輝度差と第１走査期間開始時における画素Ｐ１，Ｐ２の輝度（「３０」の輝度）とに基づき、第２走査期間が開始するときに、画素グループＧ２１内の画素Ｐ１，Ｐ２の輝度が、例えば、「６５」の輝度を達成すると、第２補正部２１８Ａは判定する。したがって、第２補正部２１８Ａは、画素グループＧ２１内の画素Ｐ１，Ｐ２に対して、「６５」の仮期待値を決定する。
【０２３３】
第２補正部２１８Ａは、選択信号ＳＬｘ（２）の輝度データに基づき、画素グループＧ２２内の画素Ｐ３，Ｐ４は、第１走査期間開始時において「７０」の輝度を有すると判定する。また、選択信号ＳＲｘ（１ｄ），ＳＬｘ（１ｄ）間の画素Ｐ３，Ｐ４の輝度差と第１走査期間開始時における画素Ｐ３，Ｐ４の輝度（「７０」の輝度）とに基づき、第２走査期間が開始するときに、画素グループＧ２２内の画素Ｐ３，Ｐ４の輝度が、例えば、「８５」の輝度を達成すると、第２補正部２１８Ａは判定する。したがって、第２補正部２１８Ａは、画素グループＧ２２内の画素Ｐ３，Ｐ４に対して、「８５」の仮期待値を決定する。
【０２３４】
尚、以下の説明において、説明を明瞭化のため、画素Ｐ１乃至Ｐ４は、比較的早期に走査され、調整テーブル２２７による仮期待値の調整量は「０」である。したがって、仮期待値の値は、期待値と同値である。
【０２３５】
図３２は、第２補正信号ＣＲｘ（２）の生成工程の概念図である。図２６及び図３２を用いて、第２補正信号ＣＲｘ（２）の生成工程が説明される。
【０２３６】
図３２には、データ線Ｍ１上に整列する画素Ｐ１乃至Ｐ４が示されている。画素Ｐ１は、ゲート線Ｌ１とデータ線Ｍ１との交点に位置する。画素Ｐ２は、ゲート線Ｌ２とデータ線Ｍ１との交点に位置する。画素Ｐ３は、ゲート線Ｌ３とデータ線Ｍ１との交点に位置する。画素Ｐ４は、ゲート線Ｌ４とデータ線Ｍ１との交点に位置する。
【０２３７】
第２補正部２１８Ａは、第１等価部２１１Ａが出力した選択信号ＳＲｘ（２）と期待値テーブル２２４Ａを用いて取得された期待値とを比較する。上述の如く、選択信号ＳＲｘ（２）が画素グループＧ２１内の画素Ｐ１，Ｐ２に規定する輝度は「８０」であり、画素Ｐ１，Ｐ２が第２走査期間の開始時に達成している輝度に対する期待値は、「６５」であるので、第２補正部２１８Ａは、例えば、「１０」の第２補正値を決定する。また、選択信号ＳＲｘ（２）が画素グループＧ２２内の画素Ｐ３，Ｐ４に規定する輝度は「６０」であり、画素Ｐ３，Ｐ４が第２走査期間の開始時に達成している輝度に対する期待値は、「８５」であるので、第２補正部２１８Ａは、例えば、「−１０」の第２補正値を決定する。かくして、第２補正部２１８Ａは、画素グループＧ２１内の画素Ｐ１，Ｐ２に対して「１０」の第２補正値を規定し、画素グループＧ２２内の画素Ｐ３，Ｐ４に対して「−１０」の第２補正値を規定する第２補正信号ＣＲｘ（２）を出力する。
【０２３８】
出力部２２１Ａは、第１選択部２１２Ａから出力された選択信号ＳＲｘ（２）が規定する輝度データと、第２選択部２１９Ａから出力された第２補正信号ＣＲｘ（２）が規定する第２補正値のデータとを加算する。上述の如く、選択信号ＳＲｘ（２）が画素グループＧ２１内の画素Ｐ１，Ｐ２に規定する輝度は「８０」であり、第１補正信号ＣＲｘ（１）が画素グループＧ２１内の画素Ｐ１，Ｐ２に対して規定する第２補正値は「１０」であるので、出力部２２１Ａは、画素グループＧ２１内の画素Ｐ１，Ｐ２に対して「９０」の駆動輝度（等価輝度）を規定する第２画像信号ＩＲｘ（２）を出力する。
【０２３９】
図３３乃至図３６は、第３走査期間における駆動輝度の設定を説明するグラフである。図３３は、画素Ｐ１の輝度の変動を表すグラフである。図３４は、画素Ｐ２の輝度の変動を表すグラフである。図３５は、画素Ｐ３の輝度の変動を表すグラフである。図３６は、画素Ｐ４の輝度の変動を表すグラフである。図２１、図２３及び図２４、図２７乃至図２９並びに図３３乃至図３６を用いて、第３走査期間における駆動輝度の設定が説明される。
【０２４０】
図２７に関連して説明された如く、入力テーブル２２６Ａは、第２走査期間に入力された選択信号ＳＲｘ（１ｄ），ＳＬｘ（１ｄ）のデータを保持する。また、入力テーブル２２６Ａには、第３走査期間において、第１遅延部２１３からのＬフレーム画像信号ＳＬｘ（３）、第２遅延部２１５Ａからの選択信号ＳＲｘ（２ｄ）及び第３遅延部２１６Ａからの選択信号ＳＬｘ（２ｄ）が入力される。これらの信号（選択信号ＳＲｘ（１ｄ），ＳＬｘ（１ｄ），ＳＲｘ（２ｄ），ＳＬｘ（２ｄ）並びにＬフレーム画像信号ＳＬｘ（３））に基づいて、第２補正部２１８Ａは、第１走査期間及び第２走査期間における画素Ｐ１乃至Ｐ４の輝度の変動を把握することができる。
【０２４１】
図３３に示される如く、第２補正部２１８Ａは、選択信号ＳＲｘ（１ｄ），ＳＬｘ（１ｄ），ＳＲｘ（２ｄ），ＳＬｘ（２ｄ）並びにＬフレーム画像信号ＳＬｘ（３）が含むデータに基づいて、画素Ｐ１は、第１走査期間において、「３０」から「６５」へ輝度を変え、その後、第２走査期間において、「６５」から「８５」へ輝度を変えることを推定する。かくして、期待値テーブル２２４Ａは、「８５」の輝度の期待値を出力する。
【０２４２】
決定テーブル２２５Ａには、「８５」の輝度の期待値に加えて、Ｒフレーム画像信号ＳＲｘ（３）が入力される。図２８に示される如く、Ｒフレーム画像信号ＳＲｘ（３）は、画素Ｐ１に対して「８０」の目標輝度を規定する。第２補正部２１８Ａは、「８５」の輝度の期待値と「８０」の目標輝度とを比較し、第３画像信号が「７５」の駆動輝度を規定するように第３補正値を決定する。この結果、第３補正信号ＣＲｘ（３）は、画素Ｐ１に対して、「−５」の補正値を規定する。
【０２４３】
図３４に示される如く、第２補正部２１８Ａは、選択信号ＳＲｘ（１ｄ），ＳＬｘ（１ｄ），ＳＲｘ（２ｄ），ＳＬｘ（２ｄ）並びにＬフレーム画像信号ＳＬｘ（３）が含むデータに基づいて、画素Ｐ２は、第１走査期間において、「４０」から「６５」へ輝度を変え、その後、第２走査期間において、「６５」から「８５」へ輝度を変えることを推定する。かくして、期待値テーブル２２４Ａは、「８５」の輝度の期待値を出力する。
【０２４４】
決定テーブル２２５Ａには、「８５」の輝度の期待値に加えて、Ｒフレーム画像信号ＳＲｘ（３）が入力される。図２８に示される如く、Ｒフレーム画像信号ＳＲｘ（３）は、画素Ｐ２に対して「７０」の目標輝度を規定する。第２補正部２１８Ａは、「８５」の輝度の期待値と「７０」の目標輝度とを比較し、第３画像信号が「６０」の駆動輝度を規定するように第３補正値を決定する。この結果、第３補正信号ＣＲｘ（３）は、画素Ｐ２に対して、「−１０」の補正値を規定する。
【０２４５】
図３５に示される如く、第２補正部２１８Ａは、選択信号ＳＲｘ（１ｄ），ＳＬｘ（１ｄ），ＳＲｘ（２ｄ），ＳＬｘ（２ｄ）並びにＬフレーム画像信号ＳＬｘ（３）が含むデータに基づいて、画素Ｐ３は、第１走査期間において、「７０」から「８５」へ輝度を変え、その後、第２走査期間において、「８５」から「６５」へ輝度を変えることを推定する。かくして、期待値テーブル２２４Ａは、「６５」の輝度の期待値を出力する。
【０２４６】
決定テーブル２２５Ａには、「６５」の輝度の期待値に加えて、Ｒフレーム画像信号ＳＲｘ（３）が入力される。図２８に示される如く、Ｒフレーム画像信号ＳＲｘ（３）は、画素Ｐ３に対して「６０」の目標輝度を規定する。第２補正部２１８Ａは、「６５」の輝度の期待値と「６０」の目標輝度とを比較し、第３画像信号が「６０」の駆動輝度を規定するように第３補正値を決定する。この結果、第３補正信号ＣＲｘ（３）は、画素Ｐ３に対して、「０」の補正値を規定する。
【０２４７】
図３６に示される如く、第２補正部２１８Ａは、選択信号ＳＲｘ（１ｄ），ＳＬｘ（１ｄ），ＳＲｘ（２ｄ），ＳＬｘ（２ｄ）並びにＬフレーム画像信号ＳＬｘ（３）が含むデータに基づいて、画素Ｐ４は、第１走査期間において、「８０」から「８５」へ輝度を変え、その後、第２走査期間において、「８５」から「６５」へ輝度を変えることを推定する。かくして、期待値テーブル２２４Ａは、「６５」の輝度の期待値を出力する。
【０２４８】
決定テーブル２２５Ａには、「６５」の輝度の期待値に加えて、Ｒフレーム画像信号ＳＲｘ（３）が入力される。図２８に示される如く、Ｒフレーム画像信号ＳＲｘ（３）は、画素Ｐ３に対して「５０」の目標輝度を規定する。第２補正部２１８Ａは、「６５」の輝度の期待値と「５０」の目標輝度とを比較し、第３画像信号が「４５」の駆動輝度を規定するように第３補正値を決定する。この結果、第３補正信号ＣＲｘ（３）は、画素Ｐ３に対して、「−５」の補正値を規定する。
【０２４９】
図３３乃至図３６に示されるように、第３走査期間の終了時には、画素Ｐ１乃至Ｐ４の輝度は、Ｒフレーム画像信号ＳＲｘ（３）が規定する目標輝度に近似する値となる。第３走査期間の後、右眼シャッタ３１２が開かれる。かくして、視聴者は、クロストークが少ない映像を視聴することができる。
【０２５０】
図３７は、第１走査動作、第２走査動作及び第３走査動作によって得られる空間スペクトルを概略的に示すグラフである。図３８は、第１走査動作、第２走査動作及び第３走査動作によって描かれるオブジェクトを例示する。図３８（ａ）は、第１走査動作によって描かれるオブジェクトを示す。図３８（ｂ）は、第１走査動作によって描かれるオブジェクトを示す。図３８（ｃ）は、第１走査動作によって描かれるオブジェクトを示す。
【０２５１】
第１実施形態及び第２実施形態に共通する原理は、先行して描かれるオブジェクトよりも後続の走査動作によって描かれるオブジェクトの解像度が高い点に特徴づけられる。オブジェクトの解像度が高いならば、空間周波数は高くなる。オブジェクトの解像度が低いならば、空間周波数は低くなる。
【０２５２】
一般的に、空間周波数が低い領域ほど、クロストークが視聴者に知覚されやすい。図３８に示されるように、早期に行われる第１走査動作によって、低い空間周波数の領域の描画が達成される。後続の第２走査動作及び第３走査動作によって、高い空間周波数の領域の描画が順次なされる。したがって、液晶の応答が不十分であっても、クロストークが知覚されやすい領域の描画は、早期に完了しているので、視聴者はほとんどクロストークを知覚しない。かくして、クロストークを生じにくい液晶パネル２３１の駆動が達成される。
【０２５３】
（単回走査と多回走査との比較）
図３９は、従来技術と同様の単回走査動作から得られる輝度変化を示す。図４０は、第２実施形態に関連して説明された３回の走査動作から得られる輝度変化を示す。図３９及び図４０のセクション（ａ）は、Ｒフレーム画像を表示するための走査動作及び右眼シャッタの開期間を示す。図３９及び図４０のセクション（ｂ）は、液晶パネルの上部の画素グループの輝度変化を示す。図３９及び図４０のセクション（ｃ）は、液晶パネルの下部の画素グループの輝度変化を示す。尚、Ｌフレーム画像信号は、画素グループ内の画素それぞれに対して、「０」の輝度を規定している。Ｒフレーム画像信号は、画素グループ内の最上位の画素に対して、「１００」の目標輝度を規定し、２番目に上方に位置する画素に対して「９０」の目標輝度を規定し、３番目に上方に位置する画素に対して「８０」の目標輝度を規定し、最下位の画素に対して、「７０」の目標輝度を規定している。
【０２５４】
図３９及び図４０に示される如く、単回の走査動作及び多回の走査動作を通じて、上部の画素グループの画素は、右眼シャッタが開かれるまでに、Ｒフレーム画像信号が規定する目標輝度に略到達している。しかしながら、単回の走査動作では、下部の画素グループに対する走査動作が遅すぎるため、下部の画素グループの輝度は、目標輝度から大きく逸脱している。一方、多回の走査動作では、下部の画素グループに対応する液晶の駆動は、第２回目の走査動作が開始される直前で開始されるので、下部の画素グループの輝度は、目標輝度に近似した値となる。したがって、多回の走査動作の結果、視聴者に知覚されるクロストークは低減される。
【０２５５】
＜第３実施形態＞
図４１は、第３実施形態に係る映像視聴システムの構成を概略的に示すブロック図である。図４１を用いて、第３実施形態に係る映像視聴システムの概略的な構成が説明される。尚、第２実施形態に関連して説明された要素と同様の要素に対しては、同様の符号が付されている。以下の説明において、第１実施形態及び第２実施形態との相違点が主に説明される。第１実施形態及び第２実施形態と同様の特徴に対して、第１実施形態及び第２実施形態に関連する説明が援用される。
【０２５６】
（映像視聴システム）
映像視聴システム１００Ｂは、第１実施形態に関連して説明された眼鏡装置３００に加えて、表示装置２００Ｂを備える。表示装置２００Ｂは、第２実施形態に関連して説明された表示装置２００Ａと同様に、Ｌフレーム画像とＲフレーム画像とを交互に表示する。
【０２５７】
表示装置２００Ｂは、第２実施形態に関連して説明された表示装置２００Ａと同様に、表示部２３０、第１制御部２５０、第２制御部２４０及び映像信号処理部２１０Ａを備える。表示装置２００Ｂは、液晶駆動部２２０Ｂを更に備える。
【０２５８】
第２実施形態と同様に、映像信号処理部２１０Ａは、第１画像信号、第２画像信号及び第３画像信号を、順次、出力する。液晶駆動部２２０Ｂは、第１画像信号、第２画像信号及び第３画像信号を液晶パネル２３１の表示面に亘って順次走査する。以下の説明において、第１画像信号を用いた液晶駆動部２２０Ｂの走査動作は、第１走査動作と称される。第２画像信号を用いた液晶駆動部２２０Ｂの走査動作は、第２走査動作と称される。第３画像信号を用いた液晶駆動部２２０Ｂの走査動作は、第３走査動作と称される。また、液晶駆動部２２０Ｂが第１走査動作を行っている期間は、第１走査期間と称される。液晶駆動部２２０Ｂが第２走査動作を行っている期間は、第２走査期間と称される。液晶駆動部２２０Ｂが第３走査動作を行っている期間は、第３走査期間と称される。
【０２５９】
（液晶駆動部）
図４２は、液晶駆動部２２０Ｂの走査動作を概略的に示す。図４１及び図４２を用いて、液晶駆動部２２０Ｂの走査動作が説明される。
【０２６０】
液晶駆動部２２０Ｂは、下方に向けて画像信号を副走査する副走査動作と、上方へ向けて画像信号を副走査する副走査動作と、を実行する。図４２に示されるように、例えば、液晶駆動部２２０Ｂは、第１走査期間及び第３走査期間において、下方に向けて画像信号を副走査し、第２走査期間において、上方に向けて画像信号を副走査してもよい。代替的に、液晶駆動部２２０Ｂが、第３走査期間において、下方に向けて画像信号（第３画像信号）を副走査するならば、第１走査期間及び第２走査期間のうち少なくとも一方の期間において、液晶駆動部２２０Ｂは、上方に向けて画像信号（第１画像信号及び／又は第２画像信号）を副走査してもよい。液晶駆動部２２０Ｂが、第３走査期間において、上方に向けて画像信号（第３画像信号）を副走査するならば、第１走査期間及び第２走査期間のうち少なくとも一方の期間において、液晶駆動部２２０Ｂは、下方に向けて画像信号（第１画像信号及び／又は第２画像信号）を副走査してもよい。本実施形態において、第３走査期間における液晶駆動部２２０Ｂの副走査動作の方向は、第１方向として例示される。また、第３走査期間における液晶駆動部２２０Ｂの副走査動作の方向と反対の副走査動作の方向は第２方向として例示される。第３走査期間における液晶駆動部２２０Ｂの副走査動作の方向と反対の副走査動作が行われている期間は、逆副走査期間として例示される。例えば、図４２に示される第２走査期間は、逆副走査期間として例示される。
【０２６１】
（第２実施形態と第３実施形態との比較）
図４３は、視聴者に知覚されるオブジェクトの差異を概略的に示す概念図である。図４３（ａ）は、本実施形態の原理に従って、描画され、視聴者に知覚されるオブジェクトを例示する。図４３（ａ）は、第２実施形態の原理に従って、描画され、視聴者に知覚されるオブジェクトを例示する。図２１、図４１乃至図４３を用いて、視聴者に知覚されるオブジェクトの差異が説明される。
【０２６２】
第２実施形態の表示装置２００Ａの液晶駆動部２２０Ａは、第１走査期間、第２走査期間及び第３走査期間を通じて、下方に向けて副走査動作を行う。一方、第３実施形態の表示装置２００Ｂの液晶駆動部２２０Ｂは、第１走査期間及び第３走査期間において、下方に向けて第１画像信号及び第３画像信号を副走査し、第２走査期間において、上方に向けて第２画像信号を副走査する。
【０２６３】
第２実施形態の原理に従うと、液晶パネル２３１の下部領域は、第１走査期間、第２走査期間及び第３走査期間を通じて、遅れて、画像信号の走査がなされる。この結果、液晶パネル２３１の上部領域におけるクロストークと比べて、液晶パネル２３１の下部領域におけるクロストークは知覚されやすくなる。また、液晶パネル２３１の上部領域におけるオブジェクトの解像度と比べて、液晶パネル２３１の下部領域におけるオブジェクトの解像度は低くなりやすい。
【０２６４】
本実施形態の原理に従うと、液晶駆動部２２０Ｂの走査動作が遅れる領域は、変動する。この結果、液晶パネル２３１の上部領域と下部領域との間での画質の差異は、比較的小さくなる。
【０２６５】
図４４は、液晶駆動部２２０Ｂの他の走査動作を概略的に示す概念図である。図４１乃至図４４を用いて、液晶駆動部２２０Ｂの他の走査動作が説明される。
【０２６６】
液晶駆動部２２０Ｂの走査動作が行われる液晶パネル２３１の表示面は、上部領域と下部領域とに分割して概念付けられてもよい。液晶駆動部２２０Ｂは、各走査期間において、上部領域及び下部領域のうち一方に対して、走査動作を行った後、他方の領域に対して走査動作を行う。上部領域に対する走査動作に対して、好ましくは、少なくとも１つの逆走査期間が設定される。同様に、下部領域に対する走査動作に対して、好ましくは、少なくとも１つの逆副走査期間が設定される。液晶パネル２３１の表示面を概念的に分割し、本実施形態の原理に従う走査動作が行われることにより、図４３に関連して説明された走査動作の遅延領域の分散効果が高められる。この結果、視聴者は、より均質な映像を視聴することができる。
【０２６７】
本実施形態に関連して説明された原理は、３回の走査動作だけでなく、２回或いは３を超える回数の走査動作にも適用される。
【０２６８】
＜第４実施形態＞
第４実施形態において、上述の一連の実施形態の原理の拡張手法が説明される。上述の一連の実施形態の原理に基づき、多数回（例えば、４回或いはそれ以上）の走査動作を１つのフレーム画像に対して行うことができる。
【０２６９】
図４５は、第４実施形態に係る映像視聴システムの構成を概略的に示すブロック図である。図４５を用いて、第４実施形態に係る映像視聴システムの概略的な構成が説明される。尚、上述の一連の実施形態に関連して説明された要素と同様の要素に対しては、同様の符号が付されている。以下の説明において、上述の一連の実施形態の原理の拡張手法が主に説明される。上述の一連の実施形態と同様の特徴に対して、上述の一連の実施形態に関連する説明が援用される。
【０２７０】
（映像視聴システム）
映像視聴システム１００Ｃは、第１実施形態に関連して説明された眼鏡装置３００に加えて、表示装置２００Ｃを備える。表示装置２００Ｃは、第１実施形態に関連して説明された表示装置２００と同様に、Ｌフレーム画像とＲフレーム画像とを交互に表示する。
【０２７１】
表示装置２００Ｃは、第１実施形態に関連して説明された表示部２３０、第１制御部２５０、第２制御部２４０に加えて、映像信号処理部２１０Ｃ及び液晶駆動部２２０Ｃを備える。
【０２７２】
第１実施形態に関連して説明された映像信号処理部２１０と同様に、映像信号処理部２１０Ｃには、基本となる垂直同期周波数を有する映像信号（左眼用映像信号及び右眼用映像信号）が入力される。映像信号処理部２１０Ｃから第１制御部２５０及び第２制御部２４０への制御信号の出力処理は、第１実施形態に関連して説明された信号処理と同様である。
【０２７３】
映像信号処理部２１０Ｃは、１つのフレーム画像信号に対して、第１画像信号乃至第Ｎ画像信号を液晶駆動部２２０Ｃに順次出力する（Ｎは、２以上の整数）。液晶駆動部２２０Ｃは、第１画像信号乃至第Ｎ画像信号を液晶パネル２３１の表示面に亘って順次走査する。以下の説明において、第ｎ画像信号を用いた液晶駆動部２２０Ｃの走査動作は、第ｎ走査動作と称される（ｎは、１以上Ｎ未満の整数）。第Ｎ画像信号を用いた液晶駆動部２２０Ａの走査動作は、第Ｎ走査動作と称される。また、液晶駆動部２２０Ａが第ｎ走査動作を行っている期間は、第ｎ走査期間と称される。液晶駆動部２２０Ａが第Ｎ走査動作を行っている期間は、第Ｎ走査期間と称される。
【０２７４】
第３実施形態の原理に従い、液晶駆動部２２０Ｃが、第Ｎ走査期間において、下方への走査動作を行うならば、第ｎ走査期間において、上方への副走査を行ってもよい。また、液晶駆動部２２０Ｃが、第Ｎ走査期間において、上方への走査動作を行うならば、第ｎ走査期間において、下方への副走査を行ってもよい。
【０２７５】
（映像信号処理部）
図４６は、本実施形態に従う表示装置２００Ｃの映像信号処理部２１０Ｃの機能構成を概略的に示すブロック図である。図４５及び図４６を用いて、映像信号処理部２１０Ｃが説明される。
【０２７６】
映像信号処理部２１０Ｃは、第１実施形態に関連して説明された第１遅延部２１３及び第１補正部２１７に加えて、第１等価部２１１Ｃ、第１選択部２１２Ｃ、第２等価部２１４Ｃ、第２遅延部２１５Ｃ、第３遅延部２１６Ｃ、第２補正部２１８Ｃ、第２選択部２１９Ｃ及び出力部２２１Ｃを備える。
【０２７７】
（等価部）
図４７及び図４８は、第１等価部２１１Ｃ及び第２等価部２１４Ｃの概略的なブロック図である。図４７（ａ）及び図４８（ａ）は、第１等価部２１１Ｃのブロック図である。図４７（ｂ）及び図４８（ｂ）は、第２等価部２１４Ｃのブロック図である。
【０２７８】
図４７に示される第１等価部２１１Ｃ及び第２等価部２１４Ｃは、平均化信号を出力している。図４８に示される第１等価部２１１Ｃ及び第２等価部２１４Ｃは、平均化信号を出力している。平均化信号及び選択信号の生成は、第１実施形態及び第２実施形態に関連して説明された原理に従う。
【０２７９】
図４７に示される第１等価部２１１Ｃ及び第２等価部２１４Ｃが、例えば、第（ｎ＋１）走査期間における走査動作のために平均化信号を出力しているならば、図４８に示される第１等価部２１１Ｃ及び第２等価部２１４Ｃは、第１乃至第ｎ走査期間のいずれかの走査期間における走査動作のために選択信号を出力している。或いは、図４８に示される第１等価部２１１Ｃ及び第２等価部２１４Ｃが、例えば、第（ｎ＋１）走査期間における走査動作のために選択信号を出力しているならば、図４７に示される第１等価部２１１Ｃ及び第２等価部２１４Ｃは、第１乃至第ｎ走査期間のいずれかの走査期間における走査動作のために平均化信号を出力している。かくして、液晶駆動部２２０Ｃは、平均輝度に基づき設定された等価信号と、選択輝度に基づき設定された等価信号とに基づき走査動作を実行することができる。
【０２８０】
第１等価部２１１Ｃは、等価演算部２６１Ｃとカウンタ２６２Ｃとを備える。また、第２等価部２１４Ｃは、等価演算部２６３Ｃとカウンタ２６４Ｃとを備える。カウンタ２６２Ｃ，２６４Ｃは、等価演算部２６１Ｃ，２６３Ｃの演算回数をカウントする。等価演算部２６１Ｃ，２６３Ｃは、カウンタ２６２Ｃ，２６４Ｃのカウント値に応じて、平均化処理及び選択処理を選択的に行ってもよい。代替的に、等価演算部２６１Ｃ，２６３Ｃは、他の条件（入力されたフレーム画像信号が規定する輝度のばらつきといった条件）に応じて、平均化処理と選択処理とを切り替えてもよい。
【０２８１】
上述の一連の実施形態に関連して説明された如く、平均化処理及び選択処理で用いられる画素の数に応じて、液晶パネル２３１に描画される画像の解像度は変動する。本実施形態において、第１走査期間乃至第Ｎ走査期間の間に描かれる画像の解像度は、常に、増大しなくともよい。例えば、第（ｎ＋１）走査期間に描かれる画像の解像度は、第ｎ走査期間に描かれる画像の解像度と等しくてもよい。
【０２８２】
第１等価部２１１Ｃ及び第２等価部２１４Ｃは、第２実施形態に関連して説明された原理に従って、カウンタ２６２Ｃ，２６４Ｃのカウント値に従って、平均化信号又は選択信号の出力先を切り替えてもよい。
【０２８３】
（遅延部）
図４６を用いて、第２遅延部２１５Ｃ及び第３遅延部２１６Ｃが説明される。
【０２８４】
第２遅延部２１５Ｃには、第１等価部２１１Ｃからの出力信号（平均化信号又は選択信号）が順次入力される。第２遅延部２１５Ｃは、第ｎ走査期間に第１等価部２１１Ｃから出力された出力信号を第（ｎ＋１）走査期間に出力する。
【０２８５】
第３遅延部２１６Ｃには、第２等価部２１４Ｃからの出力信号（平均化信号又は選択信号）が順次入力される。第３遅延部２１６Ｃは、第ｎ走査期間に第２等価部２１４Ｃから出力された出力信号を第（ｎ＋１）走査期間に出力する。
【０２８６】
（補正処理）
図４６を用いて、補正処理が説明される。
【０２８７】
（第１走査期間）
上述の一連の実施形態と同様に、第１補正部２１７は、第１走査期間に用いられる第１画像信号の生成のための第１補正信号を生成する。
【０２８８】
（第２乃至第（Ｎ−１）走査期間）
図４９は、第２補正部２１８Ｃが有する第２補正テーブル２２３Ａを示す。図４６及び図４９を用いて、第２乃至第（Ｎ−１）走査期間における補正信号の生成が説明される。
【０２８９】
第２乃至第Ｎ走査期間における第２乃至第（Ｎ−１）補正信号の生成は、第２実施形態に関連して説明された第２補正部２１８Ａの原理に従う。本実施形態の液晶処理部２１８Ｃは、第２実施形態の第２補正部２１８Ａと同様に第２補正テーブル２２３Ａを備える。
【０２９０】
第２実施形態に関連して説明された如く、入力テーブル２２６Ａは、第ｎ走査期間までに第２遅延部２１５Ｃ，第３遅延部２１６Ｃから入力された信号が含む情報を逐次格納する。第（ｎ＋１）走査期間において、第２等価部２１４Ｃから（ｎ＋１）回目の出力信号を受けると、第ｎ走査期間までに蓄積された情報と第（ｎ＋１）走査期間において入力された情報とに基づき、期待値テーブル２２４Ａは、期待値を出力する。第２補正部２１８Ｃは、その後、決定テーブル２２５Ａを用いて、第２乃至第（ｎ＋１）補正信号を順次出力する。尚、入力テーブルは、第ｎ走査期間までに第２遅延部２１５Ｃ，第３遅延部２１６Ｃから入力された信号全てを格納しなくてもよい。例えば、（ｎ＋１）回目の走査動作時において、第２遅延部及び第３遅延部から入力された信号（ｎ回目の走査動作時に設定された平均輝度又は選択輝度の情報を含む信号）に基づき、第２補正部は、（ｎ＋１）回目の走査動作用の駆動輝度を設定してもよい。
【０２９１】
（第Ｎ走査期間）
図５０は、第２補正部２１８Ｃが有する第２補正テーブル２２３Ａを示す。図４６及び図５０を用いて、第Ｎ走査期間における補正信号の生成が説明される。
【０２９２】
第Ｎ走査期間における第Ｎ補正信号の生成は、第２実施形態に関連して説明された第２補正部２１８Ａの原理に従う。本実施形態の第２補正部２１８Ｃは、第２実施形態の第２補正部２１８Ａと同様に第２補正テーブル２２３Ａを備える。
【０２９３】
第２実施形態に関連して説明された如く、入力テーブル２２６Ａは、第（Ｎ−１）走査期間までに第２遅延部２１５Ｃ，第３遅延部２１６Ｃから入力された信号が含む情報を逐次格納する。第Ｎ走査期間において、第１遅延部２１３から先行して表示されるフレーム画像を表す先行フレーム画像信号を受けると、第（Ｎ−１）走査期間までに蓄積された情報と第Ｎ走査期間において入力された先行フレーム画像信号の情報とに基づき、期待値テーブル２２４Ａは、期待値を出力する。第２補正部２１８Ｃは、その後、決定テーブル２２５Ａを用いて、第Ｎ補正信号を出力する。
【０２９４】
（選択部）
図４６を用いて、第１選択部２１２Ｃ及び第２選択部２１９Ｃが説明される。
【０２９５】
第１選択部２１２Ｃには、フレーム画像信号及び第１等価部２１１Ｃによって生成された平均化信号又は選択信号が入力される。第１選択部２１２Ｃは、第１走査期間に、第１の平均化信号又は選択信号（第１走査期間に第１等価部２１１Ｃが生成した信号）を出力し、第ｎ走査期間に第ｎの平均化信号又は選択信号（第ｎ走査期間に第１等価部２１１Ｃが生成した信号）を出力する。第Ｎ走査期間に、フレーム画像信号を出力する。
【０２９６】
第２選択部２１９Ｃには、第１補正部２１７からの補正信号及び第２補正部２１８Ｃからの補正信号が入力される。第２選択部２１９Ｃは、第１走査期間に第１補正部２１７によって生成された補正信号を出力する。第２選択部２１９Ｃは、第２乃至第Ｎ走査期間に第２補正部２１８Ｃによって生成された補正信号を順次出力する。
【０２９７】
（出力部）
図４６を用いて、出力部２２１Ｃが説明される。
【０２９８】
上述の如く、第１選択部２１２Ｃ及び第２選択部２１９Ｃは、出力部２２１Ｃに順次信号を入力する。第１走査期間において、出力部は、第１等価部２１１Ｃによって生成された平均化信号又は選択信号が含む輝度データと第１補正部２１７によって生成された補正信号が含む補正値データとを加算し、第１画像信号（等価信号）を生成する。第２乃至第（Ｎ―１）走査期間において、出力部２２１Ｃは、第１等価部２１１Ｃによって生成された平均化信号又は選択信号が含む輝度データと、第２補正部２１８Ｃによって生成された補正信号が含む補正値データとを加算し、第２乃至第（Ｎ−１）画像信号（等価信号）を順次生成する。第Ｎ走査期間において、出力部２２１Ｃは、フレーム画像信号と第２補正部２１８Ｃによって生成された補正信号が含む補正値データとを加算し、第Ｎ画像信号を生成する。
【０２９９】
出力部２２１Ｃは、第１乃至第Ｎ画像信号を、順次、液晶駆動部２２０Ｃへ出力する。液晶駆動部は、第１乃至第Ｎ画像信号を、順次、走査する。
【０３００】
上述の様々な実施形態において、先行するフレーム画像の輝度レベルや画素の位置といった様々な要素に基づき、液晶を駆動するための駆動輝度が設定される。駆動輝度の設定に用いられた様々な要素に加えて、他の要素が考慮されてもよい。例えば、液晶パネルの温度分布及び／又は液晶の応答速度や画素の輝度に影響する他の要素が、駆動輝度を設定するために用いられてもよい。
【０３０１】
上述の一連の実施形態において、オーバードライブ処理に基づき、駆動輝度が設定されている。代替的に、オーバードライブ処理を行うことなく、駆動輝度が設定されてもよい。
【０３０２】
オーバードライブ処理がなされないならば、オーバードライブ処理に用いられる第１遅延部、第２等価部、第２遅延部、第３遅延部、第１補正部、第２補正部及び第２選択部は省略されてもよい。例えば、第１等価部は、走査回数に応じて、画素グループを設定し、平均化信号又は選択信号を第１選択部に出力する。第１選択部は、走査回数に応じて、平均化信号又は選択信号或いはＲフレーム画像信号又はＬフレーム画像信号を、出力部を介して、液晶駆動部へ出力する。かくして、比較的簡素化された信号処理の下、多回の走査動作が実行される。
【０３０３】
上述の一連の実施形態において、Ｌフレーム画像とＲフレーム画像とが交互に表示される立体映像のクロストークが説明されている。２次元的に映像を知覚させるための複数のフレーム画像に対しても、上述の一連の実施形態に関連して説明された原理は適用される。先行するフレーム画像と後続のフレーム画像との輝度差に起因する２次元映像上でのクロストークは、上述の一連の実施形態に関連して説明された原理によって、好適に低減される。
【産業上の利用可能性】
【０３０４】
本発明は、クロストークの低減が可能な表示装置及び映像視聴システムとして好適である。
【符号の説明】
【０３０５】
１００，１００Ａ，１００Ｂ，１００Ｃ・・・映像視聴システム
２００，２００Ａ，２００Ｂ，２００Ｃ・・・表示装置
２１０，２１０Ａ，２１０Ｃ・・・・・・・・映像信号処理部
２２０，２２０Ａ，２２０Ｂ，２２０Ｃ・・・液晶駆動部
２２４，２２４Ａ・・・・・・・・・・・・・期待値テーブル
２３１・・・・・・・・・・・・・・・・・・液晶パネル
３００・・・・・・・・・・・・・・・・・・眼鏡装置
３１１・・・・・・・・・・・・・・・・・・左眼シャッタ
３１２・・・・・・・・・・・・・・・・・・右眼シャッタ
【図１】
2012137630.tif 000003
【図２】
2012137630.tif 000004
【図３】
2012137630.tif 000005
【図４】
2012137630.tif 000006
【図５】
2012137630.tif 000007
【図６】
2012137630.tif 000008
【図７】
2012137630.tif 000009
【図８】
2012137630.tif 000010
【図９】
2012137630.tif 000011
【図１０】
2012137630.tif 000012
【図１１】
2012137630.tif 000013
【図１２】
2012137630.tif 000014
【図１３】
2012137630.tif 000015
【図１４】
2012137630.tif 000016
【図１５】
2012137630.tif 000017
【図１６】
2012137630.tif 000018
【図１７】
2012137630.tif 000019
【図１８】
2012137630.tif 000020
【図１９】
2012137630.tif 000021
【図２０】
2012137630.tif 000022
【図２１】
2012137630.tif 000023
【図２２】
2012137630.tif 000024
【図２３】
2012137630.tif 000025
【図２４】
2012137630.tif 000026
【図２５】
2012137630.tif 000027
【図２６】
2012137630.tif 000028
【図２７】
2012137630.tif 000029
【図２８】
2012137630.tif 000030
【図２９】
2012137630.tif 000031
【図３０】
2012137630.tif 000032
【図３１】
2012137630.tif 000033
【図３２】
2012137630.tif 000034
【図３３】
2012137630.tif 000035
【図３４】
2012137630.tif 000036
【図３５】
2012137630.tif 000037
【図３６】
2012137630.tif 000038
【図３７】
2012137630.tif 000039
【図３８】
2012137630.tif 000040
【図３９】
2012137630.tif 000041
【図４０】
2012137630.tif 000042
【図４１】
2012137630.tif 000043
【図４２】
2012137630.tif 000044
【図４３】
2012137630.tif 000045
【図４４】
2012137630.tif 000046
【図４５】
2012137630.tif 000047
【図４６】
2012137630.tif 000048
【図４７】
2012137630.tif 000049
【図４８】
2012137630.tif 000050
【図４９】
2012137630.tif 000051
【図５０】
2012137630.tif 000052
【図５１】
2012137630.tif 000053
【図５２】
2012137630.tif 000054
【図５３】
2012137630.tif 000055